【事件の表示】
　特許第６１３２３９３号発明「放送受信装置及び放送受信方法」の特許異議申立事件について、次のとおり決定する。
【結　論】
　特許第６１３２３９３号の明細書及び特許請求の範囲を、訂正請求書に添付された訂正明細書及び特許請求の範囲のとおり、訂正後の請求項１、〔２−７〕、８、〔９−１１〕について訂正することを認める。
　特許第６１３２３９３号の請求項２ないし７、９ないし１１に係る特許を維持する。
　特許第６１３２３９３号の請求項１及び８に係る特許についての特許異議の申立てを却下する。
【理　由】
第１　手続の経緯
　特許第６１３２３９３号の請求項１〜１１に係る特許についての出願は、平成２５年４月２日に特許出願され、平成２９年４月２８日にその特許権の設定登録がされ、その後、その特許について、特許異議申立人中川賢治により特許異議の申立てがされ、平成３０年１月２９日付けで取消理由が通知され、平成３０年４月３日に意見書の提出及び訂正の請求があり、その訂正の請求に対して特許異議申立人中川賢治から平成３０年６月１９日に意見書が提出されたものである。
　　
第２　訂正の適否についての判断
１　訂正の内容
　本件訂正請求による訂正の内容は以下の（１）、（２）のとおりである。なお、以下の訂正事項の番号は、本件訂正請求における訂正事項の番号とした。
　　
（１）請求項１〜８に係る訂正
ア　訂正事項１
　特許請求の範囲の請求項２に「前記第２受信信号に対する選局処理を行う第２選局処理部を更に備え、前記第２選局処理部が前記第２受信信号に対して選局処理すべき場合には、前記制御部は、前記第１制御に際して、前記第２選局処理部に対して前記第２受信信号を供給させる、ことを特徴とする請求項１に記載の放送受信装置。」と記載されているのを、「
第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置であって、デジタルテレビジョン放送の再生のための選局処理を行う第１選局処理部と；ＦＭ音声放送の再生のための選局処理を行う
と；ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを、第１制御として行う制御部と；を備える
放送受信装置。
　　
イ　訂正事項２
　特許請求の範囲の請求項１を削除する。
　　
ウ　訂正事項３
　特許請求の範囲の請求項８を削除する。
　　
エ　訂正事項４
　明細書の段落【０００９】に「請求項１に記載の発明は、第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置であって、前記第１受信信号及び前記第２受信信号のいずれか一方の選局処理を行う第１選局処理部と；前記第１選局処理部が選局処理すべき受信信号として前記第２受信信号が指定された場合に、少なくとも前記第１選局処理部に対して前記第２受信信号を供給させる第１制御を行う制御部と；を備えることを特徴とする放送受信装置である。」と記載されているのを、「
請求項２
デジタルテレビジョン放送の再生のための選局処理を行う
ＦＭ音声放送の再生のための選局処理を行う第２選局処理部と；ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを、第１制御として行う
　　
（２）請求項９〜１１に係る訂正
ア　訂正事項５
　特許請求の範囲の請求項９に「第１アンテナから供給されるＵＨＦ帯域の放送波の第１受信信号、及び、第２アンテナから供給されるＶＨＦ帯域及びＦＭ放送帯域の放送波の第２受信信号のいずれか一方の選局処理を行う第１選局処理部と；制御部と；を備える放送受信装置において使用される放送受信方法であって、前記制御部が、選局処理すべき受信信号の指定を取得する取得工程と；前記取得工程における取得結果に基づいて、前記制御部が、前記第１選局処理部により選局すべき受信信号として前記第２受信信号が指定された場合に、前記第１選局処理部に対して前記第２受信信号を供給させる制御を行う制御工程と；」と記載されているのを、「
デジタルテレビジョン放送の再生のための選局処理を行う
ＦＭ音声放送の再生のための選局処理を行う第２選局処理部と；
え、第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う
ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを行う
　　
イ　訂正事項６
　明細書の段落【００１０】に「請求項９に記載の発明は、第１アンテナから供給されるＵＨＦ帯域の放送波の第１受信信号、及び、第２アンテナから供給されるＶＨＦ帯域及びＦＭ放送帯域の放送波の第２受信信号のいずれか一方の選局処理を行う第１選局処理部と；制御部と；を備える放送受信装置において使用される放送受信方法であって、前記制御部が、選局処理すべき受信信号の指定を取得する取得工程と；前記取得工程における取得結果に基づいて、前記制御部が、前記第１選局処理部により選局すべき受信信号として前記第２受信信号が指定された場合に、前記第１選局処理部に対して前記第２受信信号を供給させる制御を行う制御工程と；を備えることを特徴とする放送受信方法である。」と記載されているのを、「請求項９に記載の発明は、
デジタルテレビジョン放送の再生のための選局処理を行う
ＦＭ音声放送の再生のための選局処理を行う第２選局処理部と；
え、第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う
ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを行う
　　
２　訂正の目的の適否、一群の請求項、新規事項の有無、及び特許請求の範囲の拡張・変更の存否
（１）請求項１〜８に係る訂正
ア　訂正事項１
（ア）訂正の目的について
　訂正事項１は、訂正前の請求項２が訂正前の請求項１を引用する記載であったものを、請求項間の引用関係を解消し、請求項１を引用しないものとし、独立形式請求項へ改めるための訂正であって、特許法第１２０条の５第２項ただし書第４号に規定する「他の請求項の記載を引用する請求項の記載を当該他の請求項の記載を引用しないものとすること」を目的とする訂正である。
　また、訂正前の請求項２に係る特許発明は、「第１選局処理部」について「第１アンテナから供給されるＵＨＦ帯域の放送波の第１受信信号、及び、第２アンテナから供給されるＶＨＦ帯域及びＦＭ放送帯域の放送波の第２受信信号のいずれか一方の選局処理を行う」ことを特定し、「第２選局処理部」について「第２アンテナから供給されるＶＨＦ帯域及びＦＭ放送帯域の放送波の第２受信信号に対する選局処理を行う」ことを特定している。そして、訂正前の請求項２に係る特許発明は、「制御部」について「第１選局処理部が選局処理すべき受信信号として第２受信信号が指定された場合に、少なくとも第１選局処理部に対して第２受信信号を供給させる第１制御を行う」こと、更に「第２選局処理部が第２受信信号に対して選局処理すべき場合には、制御部は、第１制御に際して、第２選局処理部に対して前記第２受信信号を供給させる」ことを特定している。
　これに対し、訂正後の請求項２に係る発明は、「第１選局処理部」が「デジタルテレビジョン放送の再生のための選局処理を行う」とするとともに、「第２選局処理部」が「ＦＭ音声放送の再生のための選局処理を行う」とし、「制御部」が「ＵＨＦデジタルテレビジョン放送の選局処理が指定された場合には、第１選局処理部に第１受信信号を供給させる制御、Ｖ−ＬＯＷデジタルテレビジョン放送の選局処理が指定された場合には、第１選局処理部に第２受信信号を供給させる制御、及び、ＦＭ音声放送の選局処理が指定された場合には、第２選局処理部に第２受信信号を供給させる制御のいずれかを、第１制御として行う」とすることで、「第１選局処理部」、「第２選局処理部」、「制御部」を限定し、特許請求の範囲を減縮しようとするものであるから、当該訂正事項１は、特許法第１２０条の５第２項ただし書第１号に規定する特許請求の範囲の減縮を目的とするものである。
　同様に、訂正後の請求項３〜７は、訂正後の請求項２の記載を引用することにより、訂正後の請求項３〜７に係る発明をより具体的に特定し、更に限定するものであるため、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項１は、発明特定事項を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項１は、訂正前の請求項２の記載を直接的又は間接的に引用する訂正前の請求項３〜７の記載についても実質的に訂正するものであるが、上記（ア）のとおり、訂正後の請求項２の記載は、訂正前の請求項２との関係で特許請求の範囲を実質的に拡張し、又は変更するものではない。
　また、訂正事項１は、訂正前の請求項２の記載以外に、訂正前の請求項３〜７の記載について何ら訂正するものではなく、訂正後の請求項３〜７に係る発明のカテゴリーや対象、目的を変更するものではない。
　したがって、訂正事項１は、訂正前の請求項３〜７との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
ａ　第１選局処理部
　「第１選局処理部」に関し、特許請求の範囲及び明細書の発明の詳細な説明には、次の記載がある。
（ａ）「前記第１選局処理部は、テレビジョン放送の再生のための選局処理を行い、」（訂正前の請求項８）
（ｂ）「ＴＶ用ＲＦ処理ユニット１３１４ は、第１選局処理部としての機能を果たすようになっている。」（段落【００２４】）
（ｃ）「ＵＨＦ帯域を利用するデジタル放送の音声及び映像を視聴するための「ＵＨＦ選択」指定がなされると、ＵＨＦアンテナ１１１Ｕ４から送られた受信信号ＲＦＳＵ４を、ＴＶ用ＲＦ処理ユニット１３１４ へ送る。」（段落【００２０】）
（ｄ）「Ｖ−ＬＯＷ帯域を使用するデジタル放送の音声及び映像を視聴するための「Ｖ−ＬＯＷ選択」指定がなされると、ＦＭアンテナ１１２Ｆから送られた受信信号ＲＦＳＦを、ＴＶ用ＲＦ処理ユニット１３１４へ送る。」（段落【００２０】）
（ｅ）「ＴＶ用ＲＦ処理ユニット１３１４は、制御ユニット１９０Ａから送られた選局指令ＣＳＬ１１に従って、選局すべき希望局の信号を受信信号から抽出する選局処理を行う。」（段落【００２４】）
　　
　上記（ａ）〜（ｅ）によると、「デジタルテレビジョン放送の再生のための選局処理を行う第１選局処理部」、「ＵＨＦデジタルテレビジョン放送の選局処理が指定された場合には、前記第１選局処理部に前記第１受信信号を供給させる」こと、「Ｖ−ＬＯＷデジタルテレビジョン放送の選局処理が指定された場合には、前記第１選局処理部に前記第２受信信号を供給させる」ことは、願書に添付した明細書、特許請求の範囲又は図面に記載した事項である。
　　
ｂ　第２選局処理部
　「第２選局処理部」に関し、特許請求の範囲及び明細書の発明の詳細な説明には、次の記載がある。
（ｆ）「前記第２選局処理部は、ＦＭ音声放送の再生のための選局処理を行う」（訂正前の請求項８）
（ｇ）「ＦＭ用ＲＦ処理ユニット１３２は、第２選局処理部としての機能を果たすようになっている。」（段落【００２５】）
（ｈ）「ＦＭ放送の音声を聴取するための「ＦＭ音声選択」指定がなされると、ＦＭアンテナ１１２Ｆから送られた受信信号ＲＦＳＦを、ＦＭ用ＲＦ処理ユニット１３２へ送る。」（段落【００２０】）
（ｉ）「ＦＭ用ＲＦ処理ユニット１３２は、制御ユニット１９０Ａから送られた選局指令ＣＳＬ１２に従って、選局すべき希望局の信号を受信信号ＲＦＳＦから抽出する選局処理を行う。」（段落【００２５】）
　　
　上記（ｆ）〜（ｉ）によると、「ＦＭ音声放送の再生のための選局処理を行う第２選局処理部」、「ＦＭ音声放送の選局処理が指定された場合には、前記第２選局処理部に前記第２受信信号を供給させる」ことは、願書に添付した明細書、特許請求の範囲又は図面に記載した事項である。
　　
ｃ　制御部
　「制御部」に関し、特許請求の範囲及び明細書の発明の詳細な説明には、次の記載がある。
（ｊ）「制御ユニット１９０Ａは、制御部としての機能を果たすようになっている。」（段落【００４１】）
（ｋ）「ＵＨＦアンテナ１１１Ｕ４が第１アンテナに対応するとともに、受信信号ＲＦＳＵ４が第１受信信号に対応するようになっている。」（段落【００１７】）
（ｌ）「ＦＭアンテナ１１２Ｆが第２アンテナに対応し、受信信号ＲＦＳＦが第２受信信号に対応するようになっている。」（段落【００１８】）
（ｍ）「かかる再生処理は、利用者による「ＵＨＦデジタルＴＶ放送」を指定した放送波設定指定の入力ユニット１５０への入力に対応して開始される。こうして再生処理が開始されると、制御ユニット１９０Ａが、まず、ＵＨＦアンテナ１１１Ｕ４から送られる受信信号ＲＦＳＵ４をＴＶ用ＲＦ処理ユニット１３１４へ送ることを内容とする「ＵＨＦ選択」を指定する選択制御指令ＳＬＳ１を生成し、第１選択ユニット１２１へ送る」（段落【００７１】）
（ｎ）「かかる再生処理は、利用者による「Ｖ−ＬＯＷデジタルＴＶ放送」を指定した放送波設定指定の入力ユニット１５０への入力に対応して開始される。こうして再生処理が開始されると、制御ユニット１９０Ａが、まず、ＦＭアンテナ１１２Ｆから送られる受信信号ＲＦＳＦをＴＶ用ＲＦ処理ユニット１３１４へ送ることを内容とする「Ｖ−ＬＯＷ選択」を指定する選択制御指令ＳＬＳ１を生成し、第１選択ユニット１２１へ送る」（段落【００７８】）
（ｏ）「かかる再生処理は、利用者による「ＦＭ音声放送」を指定した放送波設定指定の入力ユニット１５０への入力に対応して開始される。こうして再生処理が開始されると、制御ユニット１９０Ａが、まず、ＦＭアンテナ１１２Ｆから送られる受信信号ＲＦＳＦをＦＭ用ＲＦ処理ユニット１３２へ送ることを内容とする「ＦＭ音声選択」を指定する選択制御指令ＳＬＳ１を生成し、第１選択ユニット１２１へ送る」（段落【００８５】）
　　
　上記（ｊ）〜（ｏ）によると、「ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを、第１制御手段として行う制御部」は、願書に添付した明細書、特許請求の範囲又は図面に記載した事項である。
　　
　異議申立人は、平成３０年６月１９日付け意見書において、次のように主張している。
　訂正後の請求項２において、「制御部」が行う「第１制御」は、下記(1)、(2)、(3)の制御のいずれかと特定されている。
(1)「ＵＨＦデジタルテレビジョン放送の選局処理が指定された場合には、前記第１選局処理部に前記第１受信信号を供給させる制御」
(2)「Ｖ−ＬＯＷデジタルテレビジョン放送の選局処理が指定された場合には、前記第１選局処理部に前記第２受信信号を供給させる制御」
(3)「ＦＭ音声放送の選局処理が指定された場合には、前記第２選局処理部に前記第２受信信号を供給させる制御」
　しかしながら、願書に添付した明細書、特許請求の範囲又は図面には、上記(1)、(2)、(3)のいずれをも第１制御として行う制御部は記載されているが、上記(1)、(2)、(3)のいずれかを第１制御として行う制御部は記載されていない。
　　
　しかしながら、異議申立人の主張は採用できない。理由は以下のとおりである。
　訂正後の請求項２の「制御部」は、上記(1)、(2)、(3)の制御のいずれかを、第１制御として行うものであって、訂正後の請求項２の記載を総合して判断すると、「制御部」は、上記(1)、(2)、(3)の各制御を場合に応じて行うものであり、「ＵＨＦデジタルテレビジョン放送の選局処理が指定された場合」に上記(1）の制御、「Ｖ−ＬＯＷデジタルテレビジョン放送の選局処理が指定された場合」に上記(2)の制御、「ＦＭ音声放送の選局処理が指定された場合」に上記(3)の制御を行うものと認められる。
　このことを、上記(1)、(2)、(3)の制御のいずれかを、第１制御として行う制御部としたものと解される。
　また、訂正後の請求項２の「制御部」が、願書に添付した明細書、特許請求の範囲又は図面に記載した事項であることは、上記のとおりである。
　　
　以上のとおり、訂正事項１は、願書に添付した明細書、特許請求の範囲又は図面に記載した事項の範囲内の訂正であり、特許法第１２０条の５第９項で準用する特許法第１２６条第５項の規定に適合するものである。
　　
イ　訂正事項２
（ア）訂正の目的について
　訂正事項２は、訂正前の請求項１の記載を削除するものである。
　したがって、訂正事項２は、特許法第１２０条の５第２項ただし書第１号に規定する特許請求の範囲の減縮を目的とするものである。
　　
（イ）実質上特許請求の範囲を拡張し、又は変更する訂正ではないこと
　訂正事項２は、訂正前の請求項１の記載を削除するのみであるから、実質上特許請求の範囲を拡張し、又は変更するものではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　訂正事項２は、訂正前の請求項１の記載を削除するものであるから、願書に添付した明細書、特許請求の範囲又は図面に記載した事項の範囲内の訂正であり、特許法第１２０条の５第９項で準用する特許法第１２６条第５項の規定に適合するものである。
　　
ウ　訂正事項３
（ア）訂正の目的について
　訂正事項３は、訂正前の請求項８の記載を削除するものである。
　したがって、訂正事項３は、特許法第１２０条の５第２項ただし書第１号に規定する特許請求の範囲の減縮を目的とするものである。
　　
（イ）実質上特許請求の範囲を拡張し、又は変更する訂正ではないこと
　訂正事項３は、訂正前の請求項８の記載を削除するのみであるから、実質上特許請求の範囲を拡張し、又は変更するものではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　訂正事項３は、訂正前の請求項８の記載を削除するものであるから、願書に添付した明細書、特許請求の範囲又は図面に記載した事項の範囲内の訂正であり、特許法第１２０条の５第９項で準用する特許法第１２６条第５項の規定に適合するものである。
　　
エ　訂正事項４
（ア）訂正の目的について
　訂正事項４は、上記訂正事項１に係る訂正に伴い特許請求の範囲の記載と明細書の記載との整合を図るための訂正である。よって、訂正事項４は特許法第１２０条の５第２項ただし書第３号に規定する明瞭でない記載の釈明を目的とするものである。
　
（イ）実質上特許請求の範囲を拡張し、又は変更する訂正ではないこと
　訂正事項４は、上記訂正事項１と同様であって、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
（ウ）願書に添付した明細書、特許請求の範囲又は図面に記載した事項の範囲内の訂正であること
　訂正事項４は、上記訂正事項１と同様であって、願書に添付した明細書、特許請求の範囲又は図面に記載した事項の範囲内の訂正であり、特許法第１２０条の５第９項で準用する特許法第１２６条第５項の規定に適合するものである。
　　
オ　一群の請求項
　上記訂正事項１〜３は、一群の請求項に対して請求されたものであるから、特許法第１２０条の５第４項の規定に適合する。
　上記訂正事項４による明細書の訂正に係る請求項は、上記訂正事項１による訂正に係る請求項と同じであって、上記訂正事項４による明細書の訂正は、一群の請求項のすべてについて行われたものである。
　したがって、特許法第１２０条の５第９項で準用する特許法第１２６条第４項の規定に適合する。
　　
（２）請求項９〜１１に係る訂正
ア　訂正事項５
（ア）訂正の目的について
　訂正前の請求項９に係る特許発明は、「第１選局処理部」について「第１アンテナから供給されるＵＨＦ帯域の放送波の第１受信信号、及び、第２アンテナから供給されるＶＨＦ帯域及びＦＭ放送帯域の放送波の第２受信信号のいずれか一方の選局処理を行う」ことを特定している。そして、訂正前の請求項９に係る特許発明は、「制御工程」おいて「制御部が、第１選局処理部により選局すべき受信信号として第２受信信号が指定された場合に、第１選局処理部に対して第２受信信号を供給させる制御を行う」ことを特定している。
　これに対し、訂正後の請求項９に係る発明は、「第１選局処理部」が「デジタルテレビジョン放送の再生のための選局処理を行う」とするとともに、「ＦＭ音声放送の再生のための選局処理を行う第２選局処理部」を付加し、「放送受信装置」が、「第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う」とし、「制御工程」において「制御部が、ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを行う」とすることで、特許請求の範囲を減縮しようとするものであるから、当該訂正事項５は、特許法第１２０条の５第２項ただし書第１号に規定する特許請求の範囲の減縮を目的とするものである。
　同様に、訂正後の請求項１０及び１１は、訂正後の請求項９の記載を引用することにより、訂正後の請求項１０及び１１に係る発明をより具体的に特定し、更に限定するものであるため、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項５は、発明特定事項を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項５は、訂正前の請求項９の記載を直接的又は間接的に引用する訂正前の請求項１０及び１１の記載についても実質的に訂正するものであるが、上記（ア）のとおり、訂正後の請求項９の記載は、訂正前の請求項９との関係で特許請求の範囲を実質的に拡張し、又は変更するものではない。
　また、訂正事項５は、訂正前の請求項９の記載以外に、訂正前の請求項１０及び１１の記載について何ら訂正するものではなく、訂正後の請求項１０及び１１に係る発明のカテゴリーや対象、目的を変更するものではない。
　したがって、訂正事項５は、訂正前の請求項１０及び１１との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　訂正事項５は、願書に添付した明細書、特許請求の範囲又は図面に記載した事項の範囲に基づいて導き出される構成である。
　詳細は、訂正事項１と同様である（上記（１）ア（ウ）参照）。
　したがって、訂正事項５は、特許法第１２０条の５第９項で準用する特許法第１２６条第５項の規定に適合するものである。
　　
イ　訂正事項６
　訂正事項６は、上記訂正事項５に係る訂正に伴い特許請求の範囲の記載と明細書の記載との整合を図るための訂正である。
　よって、訂正事項６は特許法第１２０条の５第２項ただし書第３号に規定する明瞭でない記載の釈明を目的とするものである。
　また、訂正事項６は、願書に添付した明細書、特許請求の範囲又は図面に記載した事項の範囲内の訂正であり、実質上特許請求の範囲を拡張し、又は変更するものではない。
　よって、訂正事項６は、特許法第１２０条の５第９項で準用する特許法第１２６条第５項、第６項の規定に適合するものである。
　　
ウ　一群の請求項
　上記訂正事項５は、一群の請求項に対して請求されたものであるから、特許法第１２０条の５第４項の規定に適合する。
　上記訂正事項６による明細書の訂正に係る請求項は、上記訂正事項５による訂正に係る請求項と同じであって、上記訂正事項６による明細書の訂正は、一群の請求項のすべてについて行われたものである。
　したがって、特許法第１２０条の５第９項において準用する特許法第１２６条第４項の規定に適合する。
　　
（３）小括
　以上のとおりであるから、本件訂正請求による訂正は特許法第１２０条の５第２項ただし書第１号又は第３号に掲げる事項を目的とするものであり、かつ、同条第４項、及び、同条第９項において準用する同法第１２６条第４項から第６項までの規定に適合するので、訂正後の請求項１〜１１について訂正することを認める。
　　
第３　特許異議の申立てについて
１　本件発明
　本件訂正請求により訂正された訂正請求項１〜１１（以下「本件発明１」〜「本件発明１１」という。）は、その特許請求の範囲の請求項１〜１１に記載された次の事項により特定されるとおりのものである。
　ただし、（２Ａ）〜（１１Ａ）は当審で付与した。以下各構成要件を「構成要件２Ａ」〜「構成要件１１Ａ」という。
　なお、請求項１、請求項８は削除された。
　　
（本件発明２）
（２Ａ）第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置であって、
（２Ｂ）デジタルテレビジョン放送の再生のための選局処理を行う第１選局処理部と；
（２Ｃ）ＦＭ音声放送の再生のための選局処理を行う第２選局処理部と；
（２Ｄ-1）ＵＨＦデジタルテレビジョン放送の選局処理が指定された場合には、前記第１選局処理部に前記第１受信信号を供給させる制御、
（２Ｄ-2）Ｖ−ＬＯＷデジタルテレビジョン放送の選局処理が指定された場合には、前記第１選曲処理部に前記第２受信信号を供給させる制御、及び、
（２Ｄ-3）ＦＭ音声放送の選局処理が指定された場合には、前記第２選局処理部に前記第２受信信号を供給させる制御
（２Ｄ）のいずれかを、第１制御として行う制御部と；
（２Ｅ）を備えることを特徴とする放送受信装置。
　　
（本件発明３）
（３Ａ）前記第２受信信号に含まれるＦＭ放送帯域における特定目的のデータ放送の再生処理のための選局処理を行う第３選局処理部と；
（３Ｂ）前記第２受信信号に含まれるＶ−ＬＯＷ帯域における前記特定目的のデータ放送の再生処理のための選局処理を行う第４選局処理部と；を更に備え、
（３Ｃ）前記制御部は、前記第１制御と並行して、前記第３選局処理部及び前記第４選局処理部のいずれかに択一的に前記第２受信信号を供給させる第２制御を行う、
（３Ｄ）ことを特徴とする請求項２に記載の放送受信装置。
　　
（本件発明４）
（４Ａ）移動体に配置され、
（４Ｂ）前記Ｖ−ＬＯＷ帯域における前記特定目的のデータ放送が再生可能なエリア情報を記憶する記憶部を更に備え、
（４Ｃ）前記制御部は、前記エリア情報、及び、前記移動体の現在位置を検出する位置検出部から取得した前記移動体の現在位置情報に基づいて、前記第２制御を行う、
（４Ｄ）ことを特徴とする請求項３に記載の放送受信装置。
　　
（本件発明５）
（５Ａ）前記制御部は、前記Ｖ−ＬＯＷ帯域における前記特定目的のデータ放送を再生可能か否かの判定を行い、前記判定の結果に基づいて、前記第２制御を行う、
（５Ｂ）ことを特徴とする請求項３又は４に記載の放送受信装置。
　　
（本件発明６）
（６Ａ）前記特定目的のデータ放送は、道路交通情報を内容とする放送である、
（６Ｂ）ことを特徴とする請求項３〜５のいずれか一項に記載の放送受信装置。
　　
（本件発明７）
（７Ａ）前記制御部は、前記第１制御に際して、
（７Ｂ）前記第１選局処理部により選局処理すべき受信信号として前記第２受信信号が利用者により指定された場合には、前記第１選局処理部のみに対して前記第２受信信号を供給させ　前記第１選局処理部により選局処理すべき受信信号として前記第１受信信号が利用者により指定された場合には、前記第１選局処理部に対して前記第１受信信号を供給させるとともに、前記第２選局処理部に対して前記第２受信信号を供給させる、
（７Ｃ）ことを特徴とする請求項２〜６のいずれか一項に記載の放送受信装置。
　　
（本件発明９）
（９Ａ-1）デジタルテレビジョン放送の再生のための選局処理を行う第１選局処理部と；
（９Ａ-2）ＦＭ音声放送の再生のための選局処理を行う第２選局処理部と；
（９Ａ-3）制御部と；を備え、
（９Ａ-4）第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置
（９Ａ）において使用される放送受信方法であって、
（９Ｂ）前記制御部が、選局処理すべき受信信号の指定を取得する取得工程と；
（９Ｃ）前記取得工程における取得結果に基づいて、前記制御部が、
（９Ｃ-1）ＵＨＦデジタルテレビジョン放送の選局処理が指定された場合には、前記第１選局処理部に前記第１受信信号を供給させる制御、
（９Ｃ-2）Ｖ−ＬＯＷデジタルテレビジョン放送の選局処理が指定された場合には、前記第１選局処理部に前記第２受信信号を供給させる制御、及び、
（９Ｃ-3）ＦＭ音声放送の選局処理が指定された場合には、前記第２選局処理部に前記第２受信信号を供給させる制御
（９Ｃ）のいずれかを行う制御工程と；
（９Ｄ）を備えることを特徴とする放送受信方法。
　　
（本件発明１０）
（１０Ａ）第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置が有するコンピュータに、請求項９に記載の放送受信方法を実行させる、ことを特徴とする放送受信プログラム。
　　
（本件発明１１）
（１１Ａ）第１アンテナから供給されるＵＨＦ帯域の放送波の第１受信信号、並びに、第２アンテナから供給されるＶＨＦ帯域及びFM放送帯域の放送波の第２受信信号に基づく再生処理を行う放送受信装置が有するコンピュータにより読み取り可能に、請求項１０に記載の放送受信プログラムが記録されている、ことを特徴とする記録媒体。
　　
２　取消理由の概要
　訂正前の請求項１〜３、６〜１１に係る特許に対して平成３０年１月２９日付けで特許権者に通知した取消理由の要旨は、次のとおりである。
　　
（１）請求項１、９〜１１に係る特許は、甲第１号証に記載された発明及び甲第３号証に記載された発明に基づき、容易に発明をすることができたものであるから、特許法第２９条第２項の規定により特許を受けることができないものであり、請求項１、９〜１１に係る特許は、取り消されるべきものである。
　　
（２）請求項１、９〜１１に係る特許は、甲第２号証に記載された発明に基づき、容易に発明をすることができたものであり、請求項２に係る特許は、甲第２号証に記載された発明及び甲第４号証に記載された技術に基づき、容易に発明をすることができたものであり、請求項３、６〜８に係る特許は、甲第２号証に記載された発明及び甲第４号証に記載された技術、甲第５号証に記載された技術に基づき、容易に発明をすることができたものであるから、特許法第２９条第２項の規定により特許を受けることができないものであり、請求項１〜３、６〜１１に係る特許は、取り消されるべきものである。
　　
（２）請求項１、９〜１１に係る特許は、甲第３号証に記載された発明に基づき、容易に発明をすることができたものであり、請求項２に係る特許は、甲第３号証に記載された発明及び甲第４号証に記載された技術に基づき、容易に発明をすることができたものであり、請求項３、６〜８に係る特許は、甲第３号証に記載された発明及び甲第４号証に記載された技術、甲第５号証に記載された技術に基づき、容易に発明をすることができたものであるから、特許法第２９条第２項の規定により特許を受けることができないものであり、請求項１〜３、６〜１１に係る特許は、取り消されるべきものである。
　　
３　甲各号証の記載及び甲各号証に記載された発明
（１）甲第１号証
ア　甲第１号証の記載事項
　甲第１号証（特開２００７−２８１７４８号公報。以下「甲１」という。）には、「テレビジョン放送信号受信装置及びアンテナ装置」（発明の名称）に関し、図面と共に次に掲げる事項が記載されている（下線は当審が付与した。）。
　　
（ア）「【特許請求の範囲】
【請求項１】
　多方向からの
ＵＨＦ帯の放送信号を受信可能な第１アンテナ
ＶＨＦ帯の放送信号を受信可能
第２アンテナと、を有するアンテナ装置に接続され
　
受信する放送信号の周波数に応じて前記第１アンテナ又は前記第２アンテナの何れかのアンテナを選択する選択手段
　前記第１アンテナ又は前記第２アンテナで受信された受信信号の受信レベルを検出する検出手段と、
　前記検出手段により検出された受信レベルが所定以上となった当該放送信号のチャンネルを、受信可能なチャンネルとして設定するチャンネル設定手段と、
　
前記選択手段、検出手段、及びチャンネル設定手段の動作を制御する制御手段
　を備えたテレビジョン放送信号受信装置において、
　前記チャンネル設定手段は、
　前記第１アンテナによる受信方向を切換可能な受信方向切換手段と、
　前記受信方向切換手段により前記第１アンテナの受信方向を順次変更させたときに前記検出手段により検出された複数の受信方向に対する受信レベルに基づいて、最適な受信状態が得られる受信方向を設定する受信方向設定手段と、を有し、
　
前記制御手段
　
ＵＨＦ帯の放送信号に対しては、前記選択手段により第１アンテナを選択させる
　
ＶＨＦ帯の放送信号に対しては、前記選択手段により第２アンテナを選択させる
テレビジョン放送信号受信装置
　　
（イ）「【００３１】
　さらに、
ＣＰＵ１１１１は
選局されたチャンネルに対応するＴＶ放送信号が属する周波数帯（物理チャンネル番号）に応じて、ＶＨＦアンテナ１２かＵＨＦアンテナ１３の何れかを選択し、ＴＶ放送信号を受信させる
ユーザによりＶＨＦ信号に対応するチャンネルが選局された場合にはＶＨＦアンテナ１２でＴＶ放送信号を受信するように選択され、ＵＨＦ信号に対応するチャンネルが選局された場合にはＵＨＦアンテナ１３でＴＶ放送信号を受信するように選択される
　　
（ウ）「【００３９】
　デコーダ３４は、例えば、制御部３８から入力される制御信号に従って、フロントエンド３３から出力された
ＴＶ放送信号に対して所定のファイル形式（例えば、ＭＰＥＧ−２
形式等）に応じた処理を施すことによって、当該ＴＶ放送信号を音声信号と画像信号とに分離してデコードする
　　
イ　甲第１号証に記載された発明
　上記ア（ア）〜（ウ）によると、甲１には、次の発明（以下「甲１発明」という。）が記載されていると認められる。
　　
（甲１発明）
　ＵＨＦ帯の放送信号を受信可能な第１アンテナと、ＶＨＦ帯の放送信号を受信可能な第２アンテナと、を有するアンテナ装置に接続され、
　受信する放送信号の周波数に応じて前記第１アンテナ又は前記第２アンテナの何れかのアンテナを選択する選択手段と、
　前記選択手段の動作を制御する制御手段と、
　を備えたデジタルテレビジョン放送信号受信装置において、
　前記制御手段は、
　ＵＨＦ帯の放送信号に対しては、前記選択手段により第１アンテナを選択させる一方、
　ＶＨＦ帯の放送信号に対しては、前記選択手段により第２アンテナを選択させることにより、
　ユーザによりＶＨＦ信号に対応するチャンネルが選局された場合にはＶＨＦアンテナでＴＶ放送信号を受信するように選択され、ＵＨＦ信号に対応するチャンネルが選局された場合にはＵＨＦアンテナでＴＶ放送信号を受信するように選択される
　デジタルテレビジョン放送信号受信装置。
　　
（２）甲第２号証
ア　甲第２号証の記載事項
　甲第２号証（特開２００６−２７０４５９号公報。以下「甲２」という。）には、「車載用ＴＶアンテナシステム」（発明の名称）に関し、図面と共に次に掲げる事項が記載されている（下線は当審が付与した。）。
　　
（ア）「【００２７】
　
ＡＶナビゲーション５０は
ＴＶ、ラジオ、ナビゲーション、ＤＶＤやＨＤＤなどの記録媒体を再生する再生装置等の機能を有する
車載用ＴＶアンテナシステム１からアナログＴＶ用受信信号が入力されて、アナログ放送として受信した映像、音声を再生、表示する
ＡＶナビゲーション５０は、車載用ＴＶアンテナシステム１にアナログ受信信号とデジタル受信信号とを切換えるための制御信号を出力する
　　
（イ）「【００２９】
　アンテナ１１、１２、１５、１６はフィルム型アンテナである。
アンテナ１１、１２は、ＵＨＦ帯の受信アンテナ
アナログＴＶ
の電波を受信できる
アンテナ１５、１６は、アナログＴＶ専用である
アンテナ１６は、ＦＭ−ＶＩＣＳ（Vehicle Information Communication System）用の電波を受信する
　　
（ウ）「【００３４】
　セレクタ２４は、アッテネータ２３及びアンテナ１５、１６に接続されるとともに、ＦＭノッチ回路２５及びバイパス回路２６にも接続される。
セレクタ２４は、アッテネータ２３からのアナログＴＶ用受信信号と、アンテナ１５、１６からのアナログＴＶ用受信信号が入力され、選択されたいずれか一つの受信信号をＦＭノッチ回路２５又はバイパス回路２６に出力する
アンテナ１１、１２、１５、１６で受信したアナログＴＶ用受信電波のうち、いずれか一つの受信電波を選択するためのものである。なお、この切替えも前述の制御信号（ＤＩＶ１、ＤＩＶ２）により制御される
　　
（エ）「【００３５】
　ＦＭノッチ回路２５は、ＴＶ用受信信号の受信に妨害を与えるＦＭ帯域を除去するための回路である。
ＦＭ帯域が除去されたアナログＴＶ用受信信号はアンプ２７に出力される
アンテナ１６で受信したＦＭ−ＶＩＣＳのＦＭ帯域をＦＭノッチ回路２５により除去させない
バイパスされたＦＭ−ＶＩＣＳの受信信号もアンプ２７に出力される
　　
（オ）図１によると、
アンテナ１６
ＶＨＦ帯のアナログ専用アンテナ
　　
イ　甲第２号証に記載された発明
　上記ア（ア）〜（オ）によると、甲２には、次の発明（以下「甲２発明」という。）が記載されていると認められる。
　　
（甲２発明）
　ＴＶ、ラジオ、ナビゲーション、ＤＶＤやＨＤＤなどの記録媒体を再生する再生装置等の機能を有するＡＶナビゲーションが、
　アナログＴＶの電波を受信できるＵＨＦ帯の受信アンテナと、
　ＶＨＦ帯のアナログＴＶ専用であり、ＦＭ−ＶＩＣＳ( Vehicle Information Communication System）用の電波を受信するアンテナに、各アンテナで受信したアナログＴＶ用受信電波のうち、いずれか一つの受信電波を選択するセレクタを介して接続されるＡＶナビゲーションであって、
　前記いずれか一つの受信電波を選択するセレクタは、ＡＶナビゲーションの出力する制御信号により制御されるＡＶナビゲーション。
　
（３）甲第３号証
ア　甲第３号証の記載事項
　甲第３号証（特開２００１−１０２８２６号公報。以下「甲３」という。）には、「アンテナ装置およびアンテナシステム」（発明の名称）に関し、図面と共に次に掲げる事項が記載されている（下線は当審が付与した。）。
　　
（ア）「【００４２】第２の実施形態に係るアンテナシステムにおいて、
各アンテナ素子１１〜１５で受信された信号
アンテナ素子１１〜１５ごとに第２のフィーダ４０′を介して切替ユニット７０へ伝送される
　　
（イ）「【００４６】すなわち、
この切替方式は、受信機１の状態によって使うアンテナ素子１１〜１５を切り替え
使用する受信機１にのみアンテナ素子１１〜１５を接続する方式である
放送受信は、ＡＭ，ＦＭ，ＴＶの選択
ＦＭ多重のみ同時受信があり得る
　　
（ウ）図６によると、
アンテナ素子１１、１５はＵＨＦ用
アンテナ素子１２、１４はＦＭ、ＶＨＦ用
ＴＶ１、ＦＭ多重、ＡＭ、ＦＭ、ＴＶ２の各出力端子に接続されている
　　
イ　甲第３号証に記載された発明
　上記ア（ア）〜（ウ）によると、甲３には、次の発明（以下「甲３発明」という。）が記載されていると認められる。
　　
（甲３発明）
　放送受信は、ＡＭ、ＦＭ、ＴＶの選択であり、ＦＭ多重のみ同時受信があり得る受信機において、
　ＵＨＦ用アンテナ素子と、
　ＦＭ、ＶＨＦ用アンテナ素子に、
　切替ユニットを介して接続され、
　受信機の状態によって使うアンテナ素子を切り替え、使用する受信機にのみアンテナ素子を接続する受信機。
　　
（４）甲第４号証
ア　甲第４号証の記載事項
　甲第４号証（特開２００２−２３８００５号公報。以下「甲４」という。）には、「ＴＶ／ＦＭ複合チューナー」（発明の名称）に関し、図面と共に次に掲げる事項が記載されている（下線は当審が付与した。）。
　　
（ア）「【０００１】
【発明の属する技術分野】本発明は、地上波ＴＶ放送受信機能と地上波ＦＭ放送受信機能とを合わせ持つＴＶ／ＦＭ複合チューナーに関し、特に、
車載用オーディオ装置に適した構成のＴＶ／ＦＭ複合チューナー
　　
（イ）「【００４５】（第２の実施形態）　図２は、第２の実施形態に係るＴＶ／ＦＭ複合チューナーの構成を説明する機能ブロック図である。第２の実施形態に係る
ＴＶ／ＦＭ複合チューナー２０は
アンテナ７１ａを入力とし
ＶＨＦ受信部１１
ＵＨＦ受信部１３
アンテナ７１ｂを入力としたＦＭ受信部１２とを有する
　　
イ　甲第４号証に記載された技術
　上記ア（ア）〜（イ）によると、甲４には、次の技術（以下「甲４技術」という。）が記載されていると認められる。
　　
（甲４技術）
　「車載用オーディオ装置に適した構成のＴＶ／ＦＭ複合チューナーが、ＶＨＦ受信部１１およびＵＨＦ受信部１３と、ＦＭ受信部１２とを有する」技術
　　
（５）甲第５号証
ア　甲第５号証の記載事項
　甲第５号証（特開２０１３−５１５０７号公報。以下「甲５」という。）には、「デジタル放送受信装置」（発明の名称）に関し、図面と共に次に掲げる事項が記載されている（下線は当審が付与した。）。
　　
（ア）「【０００５】
　特に
Ｖ−Ｌｏｗマルチメディア放送
ナビゲーション装置等で用いられるＶＩＣＳ情報を多重すること
　　
（イ）「【００１３】
　この構成によると、本発明の
デジタル放送受信装置
放送受信部
関連情報を記録した記録部
選局指示された放送波を受信するための周波数帯域を関連情報により判別して選局及び受信を行うよう放送受信部を制御するサーチ部
放送波よりＶＩＣＳ情報を抽出するＶＩＣＳ受信部と、ＶＩＣＳ情報を用いて経路案内を行うナビゲーション部とを備える
」
　　
イ　甲第５号証に記載された技術
　上記ア（ア）〜（イ）によると、甲５には、次の技術（以下「甲５技術」という。）が記載されていると認められる。
　　
（甲５技術）
　「Ｖ−Ｌｏｗマルチメディア放送を受信するデジタル放送受信装置が、放送受信部と、関連情報を記録した記録部と、選局指示された放送波を受信するための周波数帯域を関連情報により判別して選局及び受信を行うよう放送受信部を制御するサーチ部と、放送波よりＶＩＣＳ情報を抽出するＶＩＣＳ受信部と、ＶＩＣＳ情報を用いて経路案内を行うナビゲーション部とを備える」技術
　　
（６）甲第６号証
ア　甲第６号証の記載事項
　甲第６号証（特開２００６−２１１０４３号公報。以下「甲６」という。）には、「放送受信装置」（発明の名称）に関し、図面と共に次に掲げる事項が記載されている（下線は当審が付与した。）。
　　
（ア）「【特許請求の範囲】
【請求項１】
　放送局のサービスエリア内で放送を受信するための放送受信装置であって、
　
放送局の周波数、サービスエリア、放送局の系列に関する情報を記憶する放送局情報記憶手段
　
異なるサービスエリアに移動した場合に、前記放送局情報記憶手段に記憶された放送局のサービスエリアおよび系列の情報に基づいて移動前のサービスエリアで受信していた放送局と同一または同系列の放送を受信するように放送局を選択する放送局選択手段
【請求項２】
　該放送受信装置の
現在の位置を検知する位置検知手段
　前記放送局選択手段は、前記位置検知手段が検知した
現在の位置が属する放送局のサービスエリアを判定して放送局の選択を行う
　　
（イ）「【請求項７】
　人工衛星からの電波を受信して位置を検知する位置検知手段をさらに備え、
　前記
第１のデータはＦＭ放送データに多重化された交通情報のデータ
　前記第２のデータはＦＭ放送データに多重化され、かつ前記位置を補正するための誤差情報のデータであり、
　前記第１および前記第２の受信手段は、
少なくとも前記第１および前記第２のデータの受信が可能なＦＭ放送受信機を含む
　　
イ　甲第６号証に記載された発明
　上記ア（ア）〜（イ）によると、甲６には、次の技術（以下「甲６技術」という。）が記載されていると認められる。
　　
（甲６技術）
　「ＦＭ放送データに多重化された交通情報のデータの受信が可能なＦＭ放送受信機が、放送局の周波数、サービスエリア、放送局の系列に関する情報を記憶し、異なるサービスエリアに移動した場合に、記憶された放送局のサービスエリアおよび系列の情報に基づいて、現在の受信装置の位置が属する放送局のサービスエリアを判定して放送局の選択を行うことにより、移動前のサービスエリアで受信していた放送局と同一または同系列の放送を受信するように放送局を選択する」技術
　　
４　判断
（１）取消理由通知に記載した取消理由について
ア　甲１発明に基づく容易想到性
（ア）本件発明２
　本件発明２は、甲１発明に基づく容易想到性の取消理由の対象ではないが、本件発明９〜１１と発明のカテゴリーが異なる「装置」の発明であるので、本件発明９〜１１の甲１発明に基づく容易想到性を検討するにあたり、はじめに、本件発明２の甲１発明に基づく容易想到性について検討する。
　　
ａ　本件発明２、甲１発明
　本件発明２と甲１発明とを対比するにあたり、本件発明２と甲１発明とを再掲する。
　　
（本件発明２）
（２Ａ）第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置であって、
（２Ｂ）デジタルテレビジョン放送の再生のための選局処理を行う第１選局処理部と；
（２Ｃ）ＦＭ音声放送の再生のための選局処理を行う第２選局処理部と；
（２Ｄ-1）ＵＨＦデジタルテレビジョン放送の選局処理が指定された場合には、前記第１選局処理部に前記第１受信信号を供給させる制御、
（２Ｄ-2）Ｖ−ＬＯＷデジタルテレビジョン放送の選局処理が指定された場合には、前記第１選曲処理部に前記第２受信信号を供給させる制御、及び、
（２Ｄ-3）ＦＭ音声放送の選局処理が指定された場合には、前記第２選局処理部に前記第２受信信号を供給させる制御
（２Ｄ）のいずれかを、第１制御として行う制御部と；
（２Ｅ）を備えることを特徴とする放送受信装置。
　　
（甲１発明）
（１ａ）ＵＨＦ帯の放送信号を受信可能な第１アンテナと、ＶＨＦ帯の放送信号を受信可能な第２アンテナと、を有するアンテナ装置に接続され、
　受信する放送信号の周波数に応じて前記第１アンテナ又は前記第２アンテナの何れかのアンテナを選択する選択手段と、
（１ｂ）前記選択手段の動作を制御する制御手段と、
（１ｃ）を備えたデジタルテレビジョン放送信号受信装置において、
（１ｄ）前記制御手段は、
　ＵＨＦ帯の放送信号に対しては、前記選択手段により第１アンテナを選択させる一方、
　ＶＨＦ帯の放送信号に対しては、前記選択手段により第２アンテナを選択させることにより、
　ユーザによりＶＨＦ信号に対応するチャンネルが選局された場合にはＶＨＦアンテナでＴＶ放送信号を受信するように選択され、ＵＨＦ信号に対応するチャンネルが選局された場合にはＵＨＦアンテナでＴＶ放送信号を受信するように選択される
（１ｅ）デジタルテレビジョン放送信号受信装置。
　　
（（１ａ）〜（１ｅ）は、各構成を区別するために当審で付与した。以下各構成を「構成１ａ」〜「構成１ｅ」という。）
　　
ｂ　対比
　本件発明２と甲１発明とを対比する。
　　
（ａ）構成要件２Ａと構成１ａ〜１ｃとを対比する。
　構成１ａの「第１アンテナ」、「ＵＨＦ帯の放送信号」は、構成要件２Ａの「第１アンテナ」、「ＵＨＦ帯域の放送波」に相当する。構成１ａにおける「第１アンテナ」で受信された「ＵＨＦ帯の放送信号」は、「第１受信信号」といい得る。
　構成１ａの「第２アンテナ」、「ＶＨＦ帯の放送信号」は、構成要件２Ａの「第２アンテナ」、「ＶＨＦ帯域の放送波」に対応する。構成１ａにおける「第２アンテナ」で受信された「ＶＨＦ帯の放送信号」は、「第２受信信号」といい得る。しかしながら、「ＶＨＦ帯域の放送波第２受信信号」が、構成要件２Ａにおいては「ＦＭ放送帯域の放送波」でもあるのに対し、構成１ａにおいては「ＦＭ放送帯域の放送波」でない点で相違する。
　構成１ｃの「デジタルテレビジョン放送信号受信装置」は、構成要件２Ａの「再生処理を行う放送受信装置」に相当する。
　以上によると、構成要件２Ａと構成１ａ〜１ｃとは、「第１アンテナから供給されるＵＨＦ帯域の放送波の第１受信信号、並びに、第２アンテナから供給されるＶＨＦ帯域の放送波の第２受信信号に基づく再生処理を行う放送受信装置」として共通する。
　しかしながら、「ＶＨＦ帯域の放送波の第２受信信号」が、構成２Ａにおいては「ＦＭ放送帯域の放送波」でもあるのに対し、構成１ａにおいては「ＦＭ放送帯域の放送波」でない点で相違する。
　　
（ｂ）構成要件２Ｂと構成１ｃとを対比する。
　構成１ｃは、「デジタルテレビジョン放送信号受信装置」であるから、構成要件２Ｂの「デジタルテレビジョン放送の再生のための選局処理を行う第１選局処理部」に相当する構成を備えていることは明らかである。
　したがって、本件発明２と甲１発明とは、「デジタルテレビジョン放送の再生のための選局処理を行う第１選局処理部」を備えているとして一致する。
　　
（ｃ）構成要件２Ｃについて
　甲１発明は、「ＦＭ音声放送の再生のための選局処理を行う第２選局処理部」を備えていないから、本件発明２と相違する。
　　
（ｄ）構成要件２Ｄ-1〜２Ｄ-3、２Ｄと構成１ｂ、１ｄとを対比する。
　構成１ｂ、１ｄにおける「制御手段」は、「制御部」といえる。
　構成１ｄにおける「ユーザにより・・・ＵＨＦ信号に対応するチャンネルが選局された場合にはＵＨＦアンテナでＴＶ放送信号を受信するように選択される」制御は、構成要件２Ｄ-1の「ＵＨＦデジタルテレビジョン放送の選局処理が指定された場合には、前記第１選局処理部に前記第１受信信号を供給させる制御」に相当する。そして当該制御は、「第１の制御」といえる。
　しかしながら、構成１ｂ、１ｄにおける制御には、構成要件２Ｄ-2の「Ｖ−ＬＯＷデジタルテレビジョン放送の選局処理が指定された場合には、前記第１選曲処理部に前記第２受信信号を供給させる制御」、構成要件２Ｄ-3の「ＦＭ音声放送の選局処理が指定された場合には、前記第２選局処理部に前記第２受信信号を供給させる制御」はなく、本件発明２と相違する。さらに、本件発明２の「制御部」は、構成要件２Ｄ-1の「ＵＨＦデジタルテレビジョン放送の選局処理が指定された場合には、前記第１選局処理部に前記第１受信信号を供給させる制御」を含め、３つの制御のいずれかを「第１制御」として行う点で、甲１発明と相違する。
　以上によると、本件発明２と甲１発明とは、「ＵＨＦデジタルテレビジョン放送の選局処理が指定された場合には、前記第１選局処理部に前記第１受信信号を供給させる制御を第１制御として行う制御部」を備える点において共通する。
　しかしながら、本件発明２においては、「第１制御」に、「Ｖ−ＬＯＷデジタルテレビジョン放送の選局処理が指定された場合には、前記第１選曲処理部に前記第２受信信号を供給させる制御」及び「ＦＭ音声放送の選局処理が指定された場合には、前記第２選局処理部に前記第２受信信号を供給させる制御」があり、「制御部」が「ＵＨＦデジタルテレビジョン放送の選局処理が指定された場合には、前記第１選局処理部に前記第１受信信号を供給させる制御」を含め、いずれかを「第１制御」として行うものであるのに対し、甲１発明においては、「第１制御」に、「Ｖ−ＬＯＷデジタルテレビジョン放送の選局処理が指定された場合には、前記第１選曲処理部に前記第２受信信号を供給させる制御」及び「ＦＭ音声放送の選局処理が指定された場合には、前記第２選局処理部に前記第２受信信号を供給させる制御」がなく、「制御部」が「ＵＨＦデジタルテレビジョン放送の選局処理が指定された場合には、前記第１選局処理部に前記第１受信信号を供給させる制御」を含め、いずれかを「第１制御」として行うものではない点で相違する。
　　
（ｅ）構成要件２Ｅと構成１ｅとを対比すると、「放送受信装置」として一致する。
　　
ｃ　一致点、相違点
　以上によると、一致点、相違点は次のとおりである。
　　
（一致点）
　第１アンテナから供給されるＵＨＦ帯域の放送波の第１受信信号、並びに、第２アンテナから供給されるＶＨＦ帯域の放送波の第２受信信号に基づく再生処理を行う放送受信装置であって、
　デジタルテレビジョン放送の再生のための選局処理を行う第１選局処理部と；
　ＵＨＦデジタルテレビジョン放送の選局処理が指定された場合には、前記第１選局処理部に前記第１受信信号を供給させる制御を第１制御として行う制御部と；
　を備えることを特徴とする放送受信装置。
　　
（相違点１）
　「ＶＨＦ帯域の放送波の第２受信信号」が、本件発明２においては「ＦＭ放送帯域の放送波」でもあるのに対し、甲１発明においては「ＦＭ放送帯域の放送波」でない点
　　
（相違点２）
　本件発明２が、「ＦＭ音声放送の再生のための選局処理を行う第２選局処理部」を備えているのに対し、甲１発明は、当該第２選局処理部を備えていない点
　　
（相違点３）
　本件発明２においては、「第１制御」に、「Ｖ−ＬＯＷデジタルテレビジョン放送の選局処理が指定された場合には、前記第１選曲処理部に前記第２受信信号を供給させる制御」及び「ＦＭ音声放送の選局処理が指定された場合には、前記第２選局処理部に前記第２受信信号を供給させる制御」があり、「制御部」が「ＵＨＦデジタルテレビジョン放送の選局処理が指定された場合には、前記第１選局処理部に前記第１受信信号を供給させる制御」を含め、いずれかを「第１制御」として行うものであるのに対し、
　甲１発明においては、「第１制御」に、「Ｖ−ＬＯＷデジタルテレビジョン放送の選局処理が指定された場合には、前記第１選曲処理部に前記第２受信信号を供給させる制御」及び「ＦＭ音声放送の選局処理が指定された場合には、前記第２選局処理部に前記第２受信信号を供給させる制御」がなく、「制御部」が「ＵＨＦデジタルテレビジョン放送の選局処理が指定された場合には、前記第１選局処理部に前記第１受信信号を供給させる制御」を含め、いずれかを「第１制御」として行うものではない点
　　
ｄ　判断
　相違点１、２について検討する。
　甲１発明は、通常の「デジタルテレビジョン放送信号受信装置」である。
　通常の「デジタルテレビジョン放送信号受信装置」において、「ＦＭ音声放送の再生のための選局処理を行う第２選局処理部」を備える動機付けや示唆は、甲１には開示されておらず、甲２〜６をみても、当該動機付けや示唆は記載されていない。また、このことが自明のこととも認められない。
　さらに、相違点３について検討する。
　相違点３のうち、「Ｖ−ＬＯＷデジタルテレビジョン放送の選局処理が指定された場合には、前記第１選局処理部に前記第２受信信号を供給させる制御」を第１制御の一つとして行うことについては、甲２〜６に記載も示唆もされておらず、当該制御を第１制御の一つとして行うことが自明のこととも認められない。
　そうすると、本件発明２は、当業者であっても、甲１発明及び甲２発明、甲３発明、甲４〜６技術に基づいて容易になし得るものではない。
　　
（イ）本件発明９〜１１
　本件発明９は、本件発明２の「装置」の発明とカテゴリーの異なる「方法」の発明であるから、本件発明２と同様に、当業者であっても、甲１発明及び甲２発明、甲３発明、甲４〜６技術に基づいて容易になし得るものではない。
　本件発明１０〜１１は、本件発明９を引用するから、本件発明９と同じ理由で、当業者であっても、甲１発明及び甲２発明、甲３発明、甲４〜６技術に基づいて容易になし得るものではない。
　　
イ　甲２発明に基づく容易想到性
（ア）本件発明２
ａ　甲２発明
　本件発明２と甲２発明とを対比するにあたり、甲２発明を再掲する。
　　
（甲２発明）
（２ａ）ＴＶ、ラジオ、ナビゲーション、ＤＶＤやＨＤＤなどの記録媒体を再生する再生装置等の機能を有するＡＶナビゲーションが、
（２ｂ）アナログＴＶの電波を受信できるＵＨＦ帯の受信アンテナと、
（２ｃ）ＶＨＦ帯のアナログＴＶ専用であり、ＦＭ−ＶＩＣＳ( Vehicle Information Communication System）用の電波を受信するアンテナに、各アンテナで受信したアナログＴＶ用受信電波のうち、いずれか一つの受信電波を選択するセレクタを介して接続されるＡＶナビゲーションであって、
（２ｄ）前記いずれか一つの受信電波を選択するセレクタは、ＡＶナビゲーションの出力する制御信号により制御される
（２ｅ）ＡＶナビゲーション。
（（２ａ）〜（２ｅ）は、各構成を区別するために当審で付与した。以下各構成を「構成２ａ」〜「構成２ｅ」という。）
　　
ｂ　対比
　本件発明２と甲２発明とを対比する。
　　
（ａ）構成要件２Ａと構成２ａ〜２ｃとを対比する。
　構成２ｂの「ＵＨＦ帯の受信アンテナ」は、構成要件２Ａの「第１アンテナ」に相当する。
　構成２ｃの「ＶＨＦ帯のアナログＴＶ専用であり、ＦＭ−ＶＩＣＳ( Vehicle Information Communication System）用の電波を受信するアンテナ」は、構成要件２Ａの「第２アンテナ」に相当し、構成２ｃの「ＦＭ−ＶＩＣＳ( Vehicle Information Communication System）用の電波」は、「ＦＭ放送帯域の放送波」に相当する。
　構成２ａ、２ｃの「ＡＶナビゲーション」は、アナログＴＶの電波、ＦＭ−ＶＩＣＳ用の電波の再生処理を行っているといえるから、「放送受信装置」といえる。
　以上によると、構成要件２Ａと構成２ａ〜２ｃは、「第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置」として一致する。
　　
（ｂ）構成要件２Ｂと構成２ａとを対比する。
　構成２ａによると、「ＡＶナビゲーション」は、「ＴＶの機能を有する」から、「テレビジョン放送の再生のための選局処理を行う第１選局処理部」を備えているといえる。
　しかしながら、「テレビジョン放送」が、本件発明２においては、「デジタル」テレビジョン放送であるのに対し、甲２発明においては、「デジタル」テレビジョン放送でない点で相違する。
　　
（ｃ）構成要件２Ｃと構成２ａとを対比する。
　構成２ａによると、「ＡＶナビゲーション」は、「ラジオの機能を有する」から、「音声放送の再生のための選局処理を行う第２選局処理部」を備えているといえる。
　しかしながら、「音声放送」が、本件発明２においては、「ＦＭ」音声放送であるのに対し、甲２発明においては、「ＦＭ」音声放送と特定されていない点で相違する。
　　
（ｄ）構成要件２Ｄ-1〜２Ｄ-3、２Ｄと構成２ｄとを対比する。
　構成２ｄは、「前記いずれか一つの受信電波を選択するセレクタは、ＡＶナビゲーションの出力する制御信号により制御される」から、「ＡＶナビゲーションシステム」は、「制御部」を備えているといえる。
　しかしながら、制御自体が、本件発明２と甲２発明とは相違する。
　具体的には、「制御部」が、本件発明２においては、
「ＵＨＦデジタルテレビジョン放送の選局処理が指定された場合には、前記第１選局処理部に前記第１受信信号を供給させる制御、
　Ｖ−ＬＯＷデジタルテレビジョン放送の選局処理が指定された場合には、前記第１選曲処理部に前記第２受信信号を供給させる制御、及び、
　ＦＭ音声放送の選局処理が指定された場合には、前記第２選局処理部に前記第２受信信号を供給させる制御
　のいずれかを、第１制御として行う」
のに対し、甲２発明においては、当該制御を行うものではない点で相違する。
　　
（ｅ）構成要件２Ｅと構成２ｅとを対比すると、上記（ａ）のとおり、「放送受信装置」として一致する。
　　
ｃ　一致点、相違点
　以上によると、一致点、相違点は次のとおりである。
　　
（一致点）
　第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置であって、
　テレビジョン放送の再生のための選局処理を行う第１選局処理部と；
　音声放送の再生のための選局処理を行う第２選局処理部と；
　制御部と；
　を備えることを特徴とする放送受信装置。
　　
（相違点１）
　「テレビジョン放送の再生のための選局処理を行う第１選局処理部」における「テレビジョン放送」が、本件発明２においては、「デジタル」テレビジョン放送であるのに対し、甲２発明においては、「デジタル」テレビジョン放送でない点
　　
（相違点２）
　「音声放送の再生のための選局処理を行う第２選局処理部」における「音声放送」が、本件発明２においては、「ＦＭ」音声放送であるのに対し、甲２発明においては、「ＦＭ」音声放送であると特定されていない点
　　
（相違点３）
　「制御部」が、本件発明２においては、
「ＵＨＦデジタルテレビジョン放送の選局処理が指定された場合には、前記第１選局処理部に前記第１受信信号を供給させる制御、
　Ｖ−ＬＯＷデジタルテレビジョン放送の選局処理が指定された場合には、前記第１選曲処理部に前記第２受信信号を供給させる制御、及び、
　ＦＭ音声放送の選局処理が指定された場合には、前記第２選局処理部に前記第２受信信号を供給させる制御
　のいずれかを、第１制御として行う」
のに対し、甲２発明においては、当該制御を行うものではない点
　　
ｄ　判断
　相違点３について検討する。
　相違点３のうち、「Ｖ−ＬＯＷデジタルテレビジョン放送の選局処理が指定された場合には、前記第１選曲処理部に前記第２受信信号を供給させる制御」を第１制御の一つとして行うことについては、甲１、甲３〜６に記載も示唆もされておらず、当該制御を第１制御の一つとして行うことが自明のこととも認められない。
　そうすると、本件発明２は、当業者であっても、甲２発明及び甲１発明、甲３発明、甲４〜６技術に基づいて容易になし得るものではない。
　　
（イ）本件発明３、６〜８
　本件発明３、６〜８は、本件発明２を引用するから、本件発明２と同じ理由で、当業者であっても、甲２発明及び甲１発明、甲３発明、甲４〜６技術に基づいて容易になし得るものではない。
　　
（ウ）本件発明９〜１１
　本件発明９は、本件発明２の「装置」の発明とカテゴリーの異なる「方法」の発明であるから、本件発明２と同様に、当業者であっても、甲２発明及び甲１発明、甲３発明、甲４〜６技術に基づいて容易になし得るものではない。
　本件発明１０〜１１は、本件発明９を引用するから、本件発明９と同じ理由で、当業者であっても、甲２発明及び甲１発明、甲３発明、甲４〜６技術に基づいて容易になし得るものではない。
　　
ウ　甲３発明に基づく容易想到性
（ア）本件発明２
ａ　甲３発明
　本件発明２と甲３発明とを対比するにあたり、甲３発明を再掲する。
　　
（甲３発明）
（３ａ）放送受信は、ＡＭ、ＦＭ、ＴＶの選択であり、ＦＭ多重のみ同時受信があり得る受信機において、
（３ｂ）ＵＨＦ用アンテナ素子と、
（３ｃ）ＦＭ、ＶＨＦ用アンテナ素子に、
（３ｄ）切替ユニットを介して接続され、
（３ｅ）受信機の状態によって使うアンテナ素子を切り替え、使用する受信機にのみアンテナ素子を接続する
（３ｆ）受信機。
　　
（（３ａ）〜（３ｆ）は、各構成を区別するために当審で付与した。以下各構成を「構成３ａ」〜「構成３ｆ」という。）
　　
ｂ　対比
　本件発明２と甲３発明とを対比する。
　　
（ａ）構成要件２Ａと構成３ａ〜３ｃとを対比する。
　構成３ｂの「ＵＨＦ用アンテナ素子」は、構成要件２Ａの「第１アンテナ」に相当し、構成３ｃの「ＦＭ、ＶＨＦ用アンテナ素子」は、構成要件２Ａの「第２アンテナ」に相当する。
　構成３ａの「受信機」は、受信信号を再生処理しているといえるから、「放送受信装置」といえる。
　以上によると、構成要件２Ａと構成３ａ〜３ｃは、「第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置」として一致する。
　　
（ｂ）構成要件２Ｂと構成３ａとを対比する。
　構成３ａによると、「受信機」は、「ＴＶ」放送を受信するから、「テレビジョン放送の再生のための選局処理を行う第１選局処理部」を備えているといえる。
　しかしながら、「テレビジョン放送」が、本件発明２においては、「デジタル」テレビジョン放送であるのに対し、甲３発明においては、「デジタル」テレビジョン放送でない点で相違する。
　　
（ｃ）構成要件２Ｃと構成３ａとを対比する。
　構成３ａによると、「受信機」は、「ＦＭ」放送を受信するから、「ＦＭ音声放送の再生のための選局処理を行う第２選局処理部」を備えているといえる。
　　
（ｄ）構成要件２Ｄ-1〜２Ｄ-3、２Ｄと構成３ｂ〜３ｅとを対比する。
　構成３ｂ〜３ｅは、「ＵＨＦ用アンテナ素子と、ＦＭ、ＶＨＦ用アンテナ素子に、切替ユニットを介して接続され、受信機の状態によって使うアンテナ素子を切り替え、使用する受信機にのみアンテナ素子を接続する」から、「受信機」は、「制御部」を備えているといえる。
　しかしながら、制御自体が、本件発明２と甲３発明とは相違する。
　具体的には、「制御部」が、本件発明２においては、
「ＵＨＦデジタルテレビジョン放送の選局処理が指定された場合には、前記第１選局処理部に前記第１受信信号を供給させる制御、
　Ｖ−ＬＯＷデジタルテレビジョン放送の選局処理が指定された場合には、前記第１選曲処理部に前記第２受信信号を供給させる制御、及び、
　ＦＭ音声放送の選局処理が指定された場合には、前記第２選局処理部に前記第２受信信号を供給させる制御
　のいずれかを、第１制御として行う」
のに対し、甲３発明においては、当該制御を行うものではない点で相違する。
　　
（ｅ）構成要件２Ｅと構成３ｆとを対比すると、上記（ａ）のとおり、「放送受信装置」として一致する。
　　
ｃ　一致点、相違点
　以上によると、一致点、相違点は次のとおりである。
　　
（一致点）
　第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置であって、
　テレビジョン放送の再生のための選局処理を行う第１選局処理部と；
　ＦＭ音声放送の再生のための選局処理を行う第２選局処理部と；
　制御部と；
　を備えることを特徴とする放送受信装置。
　　
（相違点１）
　「テレビジョン放送の再生のための選局処理を行う第１選局処理部」における「テレビジョン放送」が、本件発明２においては、「デジタル」テレビジョン放送であるのに対し、甲３発明においては、「デジタル」テレビジョン放送でない点
　　
（相違点２）
　「制御部」が、本件発明２においては、
「ＵＨＦデジタルテレビジョン放送の選局処理が指定された場合には、前記第１選局処理部に前記第１受信信号を供給させる制御、
　Ｖ−ＬＯＷデジタルテレビジョン放送の選局処理が指定された場合には、前記第１選曲処理部に前記第２受信信号を供給させる制御、及び、
　ＦＭ音声放送の選局処理が指定された場合には、前記第２選局処理部に前記第２受信信号を供給させる制御
　のいずれかを、第１制御として行う」
のに対し、甲３発明においては、当該制御を行うものではない点
　　
ｄ　判断
　相違点３について検討する。
　相違点３のうち、「Ｖ−ＬＯＷデジタルテレビジョン放送の選局処理が指定された場合には、前記第１選曲処理部に前記第２受信信号を供給させる制御」を第１制御の一つとして行うことについては、甲１〜２、甲４〜６に記載も示唆もされておらず、当該制御を第１制御の一つとして行うことが自明のこととも認められない。
　そうすると、本件発明２は、当業者であっても、甲３発明及び甲１発明、甲２発明、甲４〜６技術に基づいて容易になし得るものではない。
　　
（イ）本件発明３、６〜８
　本件発明３、６〜８は、本件発明２を引用するから、本件発明２と同じ理由で、当業者であっても、甲３発明及び甲１発明、甲２発明、甲４〜６技術に基づいて容易になし得るものではない。
　　
（ウ）本件発明９〜１１
　本件発明９は、本件発明２の「装置」の発明とカテゴリーの異なる「方法」の発明であるから、本件発明２と同様に、当業者であっても、甲３発明及び甲１発明、甲２発明、甲４〜６技術に基づいて容易になし得るものではない。
　本件発明１０〜１１は、本件発明９を引用するから、本件発明９と同じ理由で、当業者であっても、甲３発明及び甲１発明、甲２発明、甲４〜６技術に基づいて容易になし得るものではない。
　　
（２）取消理由通知において採用しなかった特許異議申立理由について
ア　甲１に記載された発明に基づく新規性
　特許異議申立人は、本件発明１、９〜１１は、甲１に記載された発明であると主張する。
　しかしながら、本件発明１は、本件訂正請求により削除されているので、本件発明１に対する特許異議の申立てについては、対象となる請求項が存在しない。
　本件発明９〜１１については、上記４（１）ア（イ）のとおりであり、本件発明９は、本件発明２の「装置」の発明のカテゴリーの異なる「方法」の発明であるから、本件発明９と甲１に記載された発明とを対比すると、本件発明２と甲１発明とを対比した相違点と同様の相違する点がある。
　したがって、本件発明９は、甲１に記載された発明ではない。
　また、本件発明１０〜１１は、本件発明９を引用するから、本件発明９と同じ理由で、甲１に記載された発明ではない。
　よって、上記主張に理由はない。
　　
イ　本件発明４、５について
　異議申立人は、本件発明４、５は、甲２発明及び甲４〜６技術に基づいて、又は、甲３発明及び甲４〜６技術に基づいて、当業者が容易に想到することができたものであると主張する。
　しかしながら、本件発明４、５が間接的に引用する本件発明２が、当業者であっても、容易になし得るものでないことは、上記４（１）ア（ア）、イ（ア）、ウ（ア）のとおりである。
　したがって、上記主張に理由はない。
　　
第４　むすび
　以上のとおりであるから、取消理由通知に記載した取消理由及び特許異議申立書に記載した特許異議申立理由によっては、本件訂正請求により訂正された訂正後の請求項２〜７、９〜１１に係る特許を取り消すことはできない。
　また、他に本件訂正請求により訂正された訂正後の請求項２〜７、９〜１１に係る特許を取り消すべき理由を発見しない。
　さらに、請求項１及び８に係る特許は、訂正により削除されたため、本件特許の請求項１及び８に対して、特許異議申立人がした特許異議の申立てについては、対象となる請求項が存在しない。
　よって、結論のとおり決定する。
【異議決定日】
平成３０年７月２４日（２０１８．７．２４）
【訂正の要旨】
審決（決定）の【理由】欄参照。
（５４）【発明の名称】
放送受信装置及び放送受信方法
　【技術分野】
　【０００１】
　本発明は、放送受信装置、放送受信方法、放送受信プログラム、及び、当該放送受信プログラムが記録された記録媒体に関する。
　【背景技術】
　【０００２】
　近年、地上テレビジョン放送については、ＶＨＦ（Ｖｅｒｙ　Ｈｉｇｈ　Ｆｒｅｑｕｅｎｃｙ）の周波数帯域を使用するアナログ放送から、ＵＨＦ（Ｕｌｔｒａ　Ｈｉｇｈ　Ｆｒｅｑｕｅｎｃｙ）の周波数帯域を使用するデジタル放送へと移行した。そして、地上アナログテレビジョン放送の停波により空き周波数帯域となったＶＨＦ帯域については、マルチメディア放送等のデジタル放送への割当てが検討されている。こうした近年における放送電波の周波数の再割当てに対応して、ＵＨＦ帯域及びＶＨＦ帯域のデジタル放送波を受信して処理するための技術が提案されている（特許文献１参照：以下、「従来例」と呼ぶ）。
　【０００３】
　この従来例の技術では、ＵＨＦ帯域のデジタル放送波を受信するための２つのアンテナ（以下、「ＵＨＦアンテナ」ともいう）と、当該２つのＵＨＦアンテナのそれぞれに対応して接続される２つのＵＨＦ受信部と、ＶＨＦ帯域の放送波を受信するための２つのアンテナ（以下、「ＶＨＦアンテナ」ともいう）と、当該２つのＶＨＦアンテナのそれぞれに対応して接続される２つのＶＨＦ受信部とを備えている。そして、ＵＨＦ帯域のデジタル放送波を受信し再生処理を行う場合には、２つのＵＨＦ受信部から出力される中間周波信号を合成し、合成信号に基づいて放送内容を再生するようになっている。また、ＶＨＦ帯域のデジタル放送波を受信し再生処理を行う場合には、２つのＶＨＦ受信部から出力される中間周波信号を合成し、合成信号に基づいて放送内容を再生するようになっている。
　【先行技術文献】
　【特許文献】
　【０００４】
　【特許文献１】特開２００５−２４４５８４号公報
　【発明の概要】
　【発明が解決しようとする課題】
　【０００５】
　さて、近年の自動車等には、ＦＭラジオ放送の放送波を受信して処理するＦＭ受信装置を搭載していることが一般的である。そして、当該ＦＭ受信装置には、ＦＭ放送帯域の放送波を受信するためのアンテナ（以下、「ＦＭアンテナ」ともいう）が備えられている。ここで、ＦＭラジオ放送の周波数帯域（日本においては、７６〜９０ＭＨｚ）は、マルチメディア放送等のデジタル放送に割当てが検討されているＶＨＦ−ＬＯＷ帯域（９０〜１０８ＭＨｚ）（以下、「Ｖ−ＬＯＷ帯域」という）の下限と隣接している。したがって、ＦＭ受信装置が備えるＦＭアンテナを利用することにより、Ｖ−ＬＯＷ帯域を使用するデジタル放送波を受信することが可能となる。このＶ−ＬＯＷ帯域のデジタル放送は、１又は３セグメントを使用した放送であり、１２セグメントを使用した場合のＵＨＦ帯域のデジタル放送と比べて、エラー耐性が高くなっている。
　【０００６】
　しかしながら、従来例の技術では、ＵＨＦ帯域のデジタル放送波を受信処理するために、ＵＨＦアンテナとＵＨＦ処理部とを用意するとともに、ＶＨＦ帯域のデジタル放送波を受信処理するために、ＦＭアンテナを利用することなく、ＶＨＦアンテナとＶＨＦ処理部とを用意する。この結果、従来例の構成を採用すると、ＦＭ受信装置が備えるＦＭアンテナを利用する場合と比べて、装置の規模が大きくなるとともに、装置の製造コストが高価なものとなりやすい。
　【０００７】
　このため、自動車等の車両に搭載されたＦＭ受信装置のＦＭアンテナを利用して、ＶＨＦ帯域のデジタル放送波を受信して処理を行うことができる技術が望まれている。かかる要請に応えることが、本発明が解決すべき課題の一つとして挙げられる。
　【０００８】
　本発明は、上記の事情を鑑みてなされたものであり、簡易な構成で、ＵＨＦ帯域及びＶＨＦ帯域の放送波を受信し、適切な受信処理を行うことができる新たな放送受信装置及び放送受信方法を提供することを目的とする。
　【課題を解決するための手段】
　【０００９】
　
請求項２
デジタルテレビジョン放送の再生のための選局処理を行う
ＦＭ音声放送の再生のための選局処理を行う第２選局処理部と；ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを、第１制御として行う
　【００１０】
　請求項９に記載の発明は、
デジタルテレビジョン放送の再生のための選局処理を行う
ＦＭ音声放送の再生のための選局処理を行う第２選局処理部と；
え、第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う
ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを行う
　【００１１】
　請求項１０に記載の発明は、第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置が有するコンピュータに、請求項９に記載の放送受信方法を実行させる、ことを特徴とする放送受信プログラムである。
　【００１２】
　請求項１１に記載の発明は、第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置が有するコンピュータにより読み取り可能に、請求項１０に記載の放送受信プログラムが記録されている、ことを特徴とする記録媒体である。
　【図面の簡単な説明】
　【００１３】
　【図１】本発明の第１実施形態に係る放送受信装置の構成を概略的に示すブロック図である。
　【図２】図１の再生処理ユニットの構成を示すブロック図である。
　【図３】図２のＴＶ用再生処理部の構成を示すブロック図である。
　【図４】図２の交通情報用再生処理部の構成を示すブロック図である。
　【図５】図１の装置による道路交通情報の切り替え制御処理を説明するためのフローチャートである。
　【図６】本発明の第２実施形態に係る放送受信装置の構成を概略的に示すブロック図である。
　【図７】図６の再生処理ユニットにおける交通情報用再生処理部の構成を示すブロック図である。
　【図８】図６の装置による道路交通情報の切り替え制御処理を説明するためのフローチャートである。
　【発明を実施するための形態】
　【００１４】
　以下、本発明の実施形態を、添付図面を参照して説明する。なお、以下の説明及び図面においては、同一又は同等の要素には同一の符号を付し、重複する説明を省略する。
　【００１５】
　［第１実施形態］
　まず、本発明の第１実施形態を、図１〜図５を参照して説明する。
　【００１６】
　＜構成＞
　図１には、第１実施形態に係る放送受信装置１００Ａの概略的な構成がブロック図にて示されている。図１に示されるように、放送受信装置１００Ａは、４個のＵＨＦアンテナ１１１Ｕ１，１１１Ｕ２，１１１Ｕ３，１１１Ｕ４と、ＦＭアンテナ１１２Ｆと、第１選択ユニット１２１と、第２選択ユニット１２２とを備えている。また、放送受信装置１００Ａは、４個のＴＶ用ＲＦ処理ユニット１３１１，１３１２，１３１３，１３１４と、２個のＦＭ用ＲＦ処理ユニット１３２，１３３と、Ｖ−ＬＯＷ用ＲＦ処理ユニット１３４と、再生処理ユニット１４０Ａとを備えている。さらに、放送受信装置１００Ａは、入力ユニット１５０と、音出力ユニット１６０と、第１表示ユニット１７０と、第２表示ユニット１７５と、制御ユニット１９０Ａとを備えている。
　【００１７】
　上記のＵＨＦアンテナ１１１Ｕ１，１１１Ｕ２，１１１Ｕ３，１１１Ｕ４は、ＵＨＦ帯域を利用する地上デジタルテレビジョン放送の放送波を受信する。ＵＨＦアンテナ１１１Ｕｊ（ｊ＝１，…，３）による受信信号ＲＦＳＵｊは、ＴＶ用ＲＦ処理ユニット１３１ｊへ送られる。また、ＵＨＦアンテナ１１１Ｕ４による受信結果は、受信信号ＲＦＳＵ４として、第１選択ユニット１２１へ送られる。すなわち、第１実施形態では、ＵＨＦアンテナ１１１Ｕ４が第１アンテナに対応するとともに、受信信号ＲＦＳＵ４が第１受信信号に対応するようになっている。
　【００１８】
　上記のＦＭアンテナ１１２Ｆは、車両に搭載されたＦＭ受信装置が備えるＦＭアンテナである。ＦＭアンテナ１１２Ｆは、ＦＭ放送帯域及びＶＨＦ帯域の放送波を受信する。ＦＭアンテナ１１２Ｆによる受信結果は、受信信号ＲＦＳＦとして、第１選択ユニット１２１及び第２選択ユニット１２２へ送られる。すなわち、第１実施形態では、ＦＭアンテナ１１２Ｆが第２アンテナに対応し、受信信号ＲＦＳＦが第２受信信号に対応するようになっている。
　【００１９】
　上記の第１選択ユニット１２１は、ＵＨＦアンテナ１１１Ｕ４から送られた受信信号ＲＦＳＵ４を受けるとともに、ＦＭアンテナ１１２Ｆから送られた受信信号ＲＦＳＦを受ける。そして、第１選択ユニット１２１は、制御ユニット１９０Ａによる制御のもとで、受信信号ＲＦＳＵ４，ＲＦＳＦの出力先の選択処理を行う。
　【００２０】
　この第１選択ユニット１２１は、制御ユニット１９０Ａから送られた選択制御指令ＳＬＳ１により、ＵＨＦ帯域を利用するデジタル放送の音声及び映像を視聴するための「ＵＨＦ選択」指定がなされると、ＵＨＦアンテナ１１１Ｕ４から送られた受信信号ＲＦＳＵ４を、ＴＶ用ＲＦ処理ユニット１３１４へ送る。また、第１選択ユニット１２１は、制御ユニット１９０Ａから送られた選択制御指令ＳＬＳ１により、Ｖ−ＬＯＷ帯域を使用するデジタル放送の音声及び映像を視聴するための「Ｖ−ＬＯＷ選択」指定がなされると、ＦＭアンテナ１１２Ｆから送られた受信信号ＲＦＳＦを、ＴＶ用ＲＦ処理ユニット１３１４へ送る。さらに、第１選択ユニット１２１は、ＦＭ放送の音声を聴取するための「ＦＭ音声選択」指定がなされると、ＦＭアンテナ１１２Ｆから送られた受信信号ＲＦＳＦを、ＦＭ用ＲＦ処理ユニット１３２へ送る。
　【００２１】
　上記の第２選択ユニット１２２は、ＦＭアンテナ１１２Ｆから送られた受信信号ＲＦＳＦを受ける。そして、第２選択ユニット１２２は、制御ユニット１９０Ａによる制御のもとで、受信信号ＲＦＳＦの出力先の選択処理を行う。
　【００２２】
　この第２選択ユニット１２２は、制御ユニット１９０Ａから送られた選択制御指令ＳＬＳ２により、ＦＭ放送帯域におけるデータ放送から「道路交通情報」に関するデータを取得するための「ＦＭデータ選択」指定がなされると、ＦＭアンテナ１１２Ｆから送られた受信信号ＲＦＳＦを、ＦＭ用ＲＦ処理ユニット１３３へ送る。また、第２選択ユニット１２２は、制御ユニット１９０Ａから送られた選択制御指令ＳＬＳ２により、Ｖ−ＬＯＷ帯域におけるデータ放送から「道路交通情報」に関するデータを取得するための「Ｖ−ＬＯＷデータ選択」指定がなされると、ＦＭアンテナ１１２Ｆから送られた受信信号ＲＦＳＦを、Ｖ−ＬＯＷ用ＲＦ処理ユニット１３４へ送る。
　【００２３】
　上記のＴＶ用ＲＦ処理ユニット１３１ｊ（ｊ＝１，…，３）は、ＵＨＦアンテナ１１１Ｕｊに対応して配置され、ＵＨＦアンテナ１１１Ｕｊから送られた受信信号ＲＦＳＵｊを受ける。ＴＶ用ＲＦ処理ユニット１３１ｊは、制御ユニット１９０Ａから送られた選局指令ＣＳＬＵに従って、選局すべき物理チャンネルの信号を受信信号ＲＦＳＵｊから抽出する選局処理を行う。ＴＶ用ＲＦ処理ユニット１３１ｊによる選局結果は、中間周波信号ＩＦＤＵｊ（以下、単に「信号ＩＦＤＵｊ」とも記す）として、再生処理ユニット１４０Ａへ送られる。
　【００２４】
　上記のＴＶ用ＲＦ処理ユニット１３１４は、制御ユニット１９０Ａが「ＵＨＦ選択」を指定している場合には、第１選択ユニット１２１から送られた受信信号ＲＦＳＵ４を受ける。また、ＴＶ用ＲＦ処理ユニット１３１４は、制御ユニット１９０Ａが「Ｖ−ＬＯＷ選択」を指定している場合には、第１選択ユニット１２１から送られた受信信号ＲＦＳＦを受ける。ＴＶ用ＲＦ処理ユニット１３１４は、制御ユニット１９０Ａから送られた選局指令ＣＳＬ１１に従って、選局すべき希望局の信号を受信信号から抽出する選局処理を行う。ＴＶ用ＲＦ処理ユニット１３１４による選局結果は、中間周波信号ＩＦＤＴ（以下、単に「信号ＩＦＤＴ」とも記す）として、再生処理ユニット１４０Ａへ送られる。すなわち、ＴＶ用ＲＦ処理ユニット１３１４は、第１選局処理部としての機能を果たすようになっている。
　【００２５】
　上記のＦＭ用ＲＦ処理ユニット１３２は、制御ユニット１９０Ａが「ＦＭ音声選択」を指定している場合に、第１選択ユニット１２１から送られた受信信号ＲＦＳＦを受ける。ＦＭ用ＲＦ処理ユニット１３２は、制御ユニット１９０Ａから送られた選局指令ＣＳＬ１２に従って、選局すべき希望局の信号を受信信号ＲＦＳＦから抽出する選局処理を行う。ＦＭ用ＲＦ処理ユニット１３２による選局結果は、中間周波信号ＩＦＤＦＡ（以下、単に「信号ＩＦＤＦＡ」とも記す）として、再生処理ユニット１４０Ａへ送られる。すなわち、ＦＭ用ＲＦ処理ユニット１３２は、第２選局処理部としての機能を果たすようになっている。
　【００２６】
　上記のＦＭ用ＲＦ処理ユニット１３３は、車両に搭載されたＦＭ受信装置が備えるＦＭチューナである。ＦＭ用ＲＦ処理ユニット１３３は、制御ユニット１９０Ａが「ＦＭデータ選択」を指定している場合に、第２選択ユニット１２２から送られた受信信号ＲＦＳＦを受ける。ＦＭ用ＲＦ処理ユニット１３３は、制御ユニット１９０Ａから送られた選局指令ＣＳＬ２１に従って、選局すべき希望局の信号を受信信号ＲＦＳＦから抽出する選局処理を行う。ＦＭ用ＲＦ処理ユニット１３３による選局結果は、中間周波信号ＩＦＤＦＤ（以下、単に「信号ＩＦＤＦＤ」とも記す）として、再生処理ユニット１４０Ａへ送られる。すなわち、ＦＭ用ＲＦ処理ユニット１３３は、第３選局処理部としての機能を果たすようになっている。
　【００２７】
　上記のＶ−ＬＯＷ用ＲＦ処理ユニット１３４は、制御ユニット１９０Ａが「Ｖ−ＬＯＷデータ選択」を指定している場合に、第２選択ユニット１２２から送られた受信信号ＲＦＳＦを受ける。Ｖ−ＬＯＷ用ＲＦ処理ユニット１３４は、制御ユニット１９０Ａから送られた選局指令ＣＳＬ２２に従って、選局すべき希望局の信号を受信信号ＲＦＳＦから抽出する選局処理を行う。Ｖ−ＬＯＷ用ＲＦ処理ユニット１３４による選局結果は、中間周波信号ＩＦＤＶＤ（以下、単に「信号ＩＦＤＶＤ」とも記す）として、再生処理ユニット１４０Ａへ送られる。すなわち、Ｖ−ＬＯＷ用ＲＦ処理ユニット１３４は、第４選局処理部としての機能を果たすようになっている。
　【００２８】
　上記の再生処理ユニット１４０Ａは、制御ユニット１９０Ａにより「ＵＨＦ選択」が指定されると、ＴＶ用ＲＦ処理ユニット１３１ｊ（ｊ＝１，…，３）から送られた信号ＩＦＤＵｊ、ＴＶ用ＲＦ処理ユニット１３１４から送られた信号ＩＦＤＴを処理して、音出力ユニット１６０へ供給する音声データ及び第１表示ユニット１７０へ供給する映像データを生成する。また、再生処理ユニット１４０Ａは、制御ユニット１９０Ａにより「Ｖ−ＬＯＷ選択」が指定されると、ＴＶ用ＲＦ処理ユニット１３１４から送られた信号ＩＦＤＴを処理して、音出力ユニット１６０へ供給する音声データ及び第１表示ユニット１７０へ供給する映像データを生成する。さらに、再生処理ユニット１４０Ａは、制御ユニット１９０Ａにより「ＦＭ音声選択」が指定されると、ＦＭ用ＲＦ処理ユニット１３２から送られた信号ＩＦＤＦＡを処理して、音出力ユニット１６０へ供給する音声データを生成する。
　【００２９】
　また、再生処理ユニット１４０Ａは、制御ユニット１９０Ａにより「ＦＭデータ選択」が指定されると、ＦＭ用ＲＦ処理ユニット１３３から送られた信号ＩＦＤＦＤを処理して、第２表示ユニット１７５へ供給する「道路交通情報」を反映した画像データを生成する。また、再生処理ユニット１４０Ａは、制御ユニット１９０Ａにより「Ｖ−ＬＯＷデータ選択」が指定されると、Ｖ−ＬＯＷ用ＲＦ処理ユニット１３４から送られた信号ＩＦＤＶＤを処理して、第２表示ユニット１７５へ供給する「道路交通情報」を反映した画像データを生成する。
　【００３０】
　再生処理ユニット１４０Ａの構成の詳細については、後述する。
　【００３１】
　上記の入力ユニット１５０は、放送受信装置１００Ａの本体部に設けられたキー部、及び／又はキー部を備えるリモート入力装置等により構成される。ここで、本体部に設けられたキー部としては、第１表示ユニット１７０の表示デバイスに設けられたタッチパネルを用いることができる。また、キー部を有する構成に代えて、又は併用して音声認識技術を利用して音声にて入力する構成を採用することもできる。
　【００３２】
　この入力ユニット１５０を利用者が操作することにより、放送受信装置１００Ａの動作内容の設定や動作指令の入力が行われる。例えば、「ＵＨＦデジタルＴＶ放送」、「Ｖ−ＬＯＷデジタルＴＶ放送」及び「ＦＭ音声放送」の放送波設定指定、選局設定指定等の利用者による入力が、入力ユニット１５０を利用して行われる。入力ユニット１５０への入力内容は、入力データとして、制御ユニット１９０Ａへ送られる。
　【００３３】
　上記の音出力ユニット１６０は、（ｉ）再生処理ユニット１４０Ａから送られた音声データをアナログ信号に変換するＤＡ（Ｄｉｇｉｔａｌ　ｔｏ　Ａｎａｌｏｇｕｅ）変換器と、（ｉｉ）当該ＤＡ変換器から出力されたアナログ信号を増幅する増幅器と、（ｉｉｉ）増幅されたアナログ信号を音声に変換するスピーカとを備えて構成されている。この音出力ユニット１６０は、選局されている希望局の放送波に対応する放送音声を再生出力する。
　【００３４】
　上記の第１表示ユニット１７０は、例えば、（ｉ）液晶パネル、有機ＥＬ（Ｅｌｅｃｔｒｏ　Ｌｕｍｉｎｅｓｃｅｎｃｅ）パネル、ＰＤＰ（Ｐｌａｓｍａ　Ｄｉｓｐｌａｙ　Ｐａｎｅｌ）等の表示デバイスと、（ｉｉ）再生処理ユニット１４０Ａから送られた映像データに基づいて、当該表示デバイスに画像を表示させる表示制御回路とを備えている。この第１表示ユニット１７０は、選局されている希望局の放送波に対応する放送映像を再生表示する。
　【００３５】
　上記の第２表示ユニット１７５は、例えば、上述した第１表示ユニット１７０の場合と同様にして構成され、（ｉ）液晶パネル、有機ＥＬパネル、ＰＤＰ等の表示デバイスと、（ｉｉ）再生処理ユニット１４０Ａから送られた画像データに基づいて、当該表示デバイスに画像を表示させる表示制御回路とを備えている。この第２表示ユニット１７５は、「道路交通情報」を反映した画像を再生表示する。
　【００３６】
　上記の制御ユニット１９０Ａは、様々な処理を行うとともに、放送受信装置１００Ａの全体の動作を制御する。制御ユニット１９０Ａは、入力ユニット１５０から送られた入力データを受ける。この入力データの内容が、「ＵＨＦデジタルＴＶ放送」の放送波設定指定であった場合には、制御ユニット１９０Ａは、「ＵＨＦ選択」を指定した選択制御指令ＳＬＳ１を生成して、第１選択ユニット１２１へ送る。また、制御ユニット１９０Ａは、信号ＩＦＤＵ１，ＩＦＤＵ２，ＩＦＤＵ３，ＩＦＤＴの４つの信号を合成すべきことを指定した合成制御指令ＳＮＣ、及び、ＵＨＦデジタル放送波に対応する放送音声を再生出力するための切替制御指令ＳＷ１を生成して、再生処理ユニット１４０Ａへ送る。
　【００３７】
　また、入力データの内容が、「Ｖ−ＬＯＷデジタルＴＶ放送」の放送波設定指定であった場合には、制御ユニット１９０Ａは、「Ｖ−ＬＯＷ選択」を指定した選択制御指令ＳＬＳ１を生成して、第１選択ユニット１２１へ送る。また、制御ユニット１９０Ａは、信号ＩＦＤＴのみを再生処理すべきこと（すなわち、信号を合成すべきではないこと）を指定した合成制御指令ＳＮＣ、及び、Ｖ−ＬＯＷデジタル放送波に対応する放送音声を再生出力するための切替制御指令ＳＷ１を生成して、再生処理ユニット１４０Ａへ送る。
　【００３８】
　また、入力データの内容が、「ＦＭ音声放送」の放送波設定指定であった場合には、制御ユニット１９０Ａは、「ＦＭ音声選択」を指定した選択制御指令ＳＬＳ１を生成して、第１選択ユニット１２１へ送る。また、制御ユニット１９０Ａは、ＦＭ放送波に対応する放送音声を再生出力するための切替制御指令ＳＷ１を生成して、再生処理ユニット１４０Ａへ送る。
　【００３９】
　また、制御ユニット１９０Ａは、再生処理ユニット１４０Ａから送られた後述する受信状態情報ＳＴＶを受ける。そして、制御ユニット１９０Ａは、当該受信状態情報ＳＴＶの内容等に基づいて、「ＦＭデータ選択」及び「Ｖ−ＬＯＷデータ選択」のいずれかを指定した選択制御指令ＳＬＳ２を生成して、第２選択ユニット１２２へ送るとともに、「ＦＭデータ放送信号に基づく道路交通情報」及び「Ｖ−ＬＯＷデータ放送信号に基づく道路交通情報」のいずれを表示すべきかを指定した切替制御指令ＳＷ２を生成して、再生処理ユニット１４０Ａへ送る。
　【００４０】
　また、制御ユニット１９０Ａは、入力ユニット１５０から送られた入力データの内容が選局設定指定であった場合には、指定された希望局に対応する選局指令ＣＳＬを生成して、選局処理を行うべきＲＦ処理ユニットへ送る。
　【００４１】
　すなわち、制御ユニット１９０Ａは、制御部としての機能を果たすようになっている。制御ユニット１９０Ａが実行する制御処理の詳細については、後述する。
　【００４２】
　《再生処理ユニット１４０Ａの構成》
　次に、再生処理ユニット１４０Ａの構成について説明する。
　【００４３】
　再生処理ユニット１４０Ａは、図２に示されるように、ＴＶ用再生処理部１４１と、ＦＭ音声用再生処理部１４２と、音声データ切替部１４３とを備えている。また、再生処理ユニット１４０Ａは、交通情報用再生処理部１４４Ａと、情報データ切替部１４５とを備えている。
　【００４４】
　上記のＴＶ用再生処理部１４１は、制御ユニット１９０Ａにより「ＵＨＦ選択」が指定された場合に、ＴＶ用ＲＦ処理ユニット１３１ｊ（ｊ＝１，…，３）から送られた信号ＩＦＤＵｊ、及び、ＴＶ用ＲＦ処理ユニット１３１４から送られた信号ＩＦＤＴを取得する。そして、ＴＶ用再生処理部１４１は、ＴＶ用ＲＦ処理ユニット１３１１〜１３１４より選局処理が施された信号ＩＦＤＵ１，ＩＦＤＵ２，ＩＦＤＵ３，ＩＦＤＴを合成する。引き続き、ＴＶ用再生処理部１４１は、当該合成された信号に対して再生処理を施し、音声データ切替部１４３へ供給する音声データ及び第１表示ユニット１７０へ供給する映像データを生成する。
　【００４５】
　また、ＴＶ用再生処理部１４１は、制御ユニット１９０Ａにより「Ｖ−ＬＯＷ選択」が指定された場合に、ＴＶ用ＲＦ処理ユニット１３１４から送られた信号ＩＦＤＴを取得する。そして、ＴＶ用再生処理部１４１は、ＲＦ処理ユニット１３１４により選局処理が施された当該信号ＩＦＤＴに対して再生処理を施し、音声データ切替部１４３へ供給する音声データ及び第１表示ユニット１７０へ供給する映像データを生成する。
　【００４６】
　ＴＶ用再生処理部１４１の構成の詳細については、後述する。
　【００４７】
　上記のＦＭ音声用再生処理部１４２は、ＦＭ用復調部と、マルチプレクサ（ＭＰＸ）部とを備えている（いずれも、不図示）。
　【００４８】
　ＦＭ用復調部は、制御ユニット１９０Ａにより「ＦＭ音声選択」が指定された場合に、ＦＭ用ＲＦ処理ユニット１３２から送られた信号ＩＦＤＦＡを取得する。そして、ＦＭ復調部は、ＦＭ用ＲＦ処理ユニット１３２により選局処理が施された当該信号ＩＦＤＦＡに対してＦＭ復調処理を施し、復調結果の信号をＭＰＸ部へ送る。ＭＰＸ部は、ＦＭ用復調部から送られた復調結果の信号を受ける。そして、ＭＰＸ部は、復調結果の信号に対して、セパレーション処理等の再生処理を施して、音声データ切替部１４３へ供給する音声データを生成する。
　【００４９】
　上記の音声データ切替部１４３は、制御ユニット１９０Ａから送られた切替制御指令ＳＷ１により「ＴＶ再生選択」指定がなされると、ＴＶ用再生処理部１４１から送られた音声データを、音出力ユニット１６０へ送る。また、音声データ切替部１４３は、切替制御指令ＳＷ１により「ＦＭ音声再生選択」指定がなされると、ＦＭ音声用再生処理部１４２から送られた音声データを、音出力ユニット１６０へ送る。
　【００５０】
　上記の交通情報用再生処理部１４４Ａは、制御ユニット１９０Ａにより「ＦＭデータ選択」が指定された場合に、ＦＭ用ＲＦ処理ユニット１３３から送られた信号ＩＦＤＦＤを取得する。そして、交通情報用再生処理部１４４Ａは、ＦＭ用ＲＦ処理ユニット１３３により選局処理が施された当該信号ＩＦＤＦＤに対して再生処理を施して、ＦＭデータ放送が提供する「道路交通情報」に関する画像データを生成する。引き続き、交通情報用再生処理部１４４Ａは、生成された画像データを情報データ切替部１４５へ供給する。
　【００５１】
　また、交通情報用再生処理部１４４Ａは、制御ユニット１９０Ａにより「Ｖ−ＬＯＷデータ選択」が指定された場合に、Ｖ−ＬＯＷ用ＲＦ処理ユニット１３４から送られた信号ＩＦＤＶＤを取得する。そして、交通情報用再生処理部１４４Ａは、Ｖ−ＬＯＷ用ＲＦ処理ユニット１３４により選局処理が施された当該信号ＩＦＤＶＤに対して再生処理を施して、Ｖ−ＬＯＷデータ放送が提供する「道路交通情報」に関する画像データを生成する。引き続き、交通情報用再生処理部１４４Ａは、生成された画像データを情報データ切替部１４５へ供給する。
　【００５２】
　交通情報用再生処理部１４４Ａの構成の詳細については、後述する。
　【００５３】
　上記の情報データ切替部１４５は、制御ユニット１９０Ａから送られた切替制御指令ＳＷ２により「ＦＭデータ再生選択」指定がなされると、ＦＭデータ放送が提供する「道路交通情報」に関する画像データを、第２表示ユニット１７５へ送る。また、情報データ切替部１４５は、切替制御指令ＳＷ２により「Ｖ−ＬＯＷデータ再生選択」指定がなされると、Ｖ−ＬＯＷデータ放送が提供する「道路交通情報」に関する画像データを、第２表示ユニット１７５へ送る。
　【００５４】
　（ＴＶ用再生処理部１４１の構成）
　上述したＴＶ用再生処理部１４１の構成について説明する。
　【００５５】
　ＴＶ用再生処理部１４１は、図３に示されるように、信号合成部２１１と、ＴＶ用復調部２１２と、ＴＶ用復号部２１３とを備えている。また、ＴＶ用再生処理部１４１は、音声処理部２１４と、映像処理部２１５とを備えている。
　【００５６】
　上記の信号合成部２１１は、制御ユニット１９０Ａにより「ＵＨＦ選択」が指定されているときには、ＴＶ用ＲＦ処理ユニット１３１ｊ（ｊ＝１，…，３）から送られた信号ＩＦＤＵｊ、及び、ＴＶ用ＲＦ処理ユニット１３１４から送られた信号ＩＦＤＴを取得する。そして、信号合成部２１１は、制御ユニット１９０Ａから送られた合成制御指令ＳＮＣに従い、ＴＶ用ＲＦ処理ユニット１３１１〜１３１４より選局処理が施された信号ＩＦＤＵ１，ＩＦＤＵ２，ＩＦＤＵ３，ＩＦＤＴの４つ信号の合成を行い、合成された信号をＴＶ用復調部２１２へ送る。
　【００５７】
　また、信号合成部２１１は、制御ユニット１９０Ａにより「ＵＨＦ選択」が指定されているときには、ＴＶ用ＲＦ処理ユニット１３１４から送られた信号ＩＦＤＴを取得する。そして、信号合成部２１１は、制御ユニット１９０Ａから送られた合成制御指令ＳＮＣに従い、ＴＶ用ＲＦ処理ユニット１３１４により選局処理が施された信号ＩＦＤＴをＴＶ用復調部２１２へ送る。
　【００５８】
　上記のＴＶ用復調部２１２は、信号合成部２１１から送られた信号を受ける。そして、ＴＶ用復調部２１２は、当該信号に対してＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）復調を施す。こうして復調された復調信号は、ＴＶ用復号部２１３へ送られる。
　【００５９】
　上記のＴＶ用復号部２１３は、ＴＶ用復調部２１２から送られた復調信号を受ける。そして、ＴＶ用復号部２１３は、復調信号の復号処理を行い、音声に関する復号結果を、復号音声データとして、音声処理部２１４へ送る。また、ＴＶ用復号部２１３は、映像に関する復号結果を、復号映像データとして、映像処理部２１５へ送る。
　【００６０】
　上記の音声処理部２１４は、復号音声データに基づいて音声データを生成する。生成された音声データは、音声データ切替部１４３へ送られる。
　【００６１】
　上記の映像処理部２１５は、復号映像データに基づいて映像データを生成する。生成された映像データは、第１表示ユニット１７０へ送られる。
　【００６２】
　（交通情報用再生処理部１４４Ａの構成）
　上述した交通情報用再生処理部１４４Ａの構成について説明する。
　【００６３】
　交通情報用再生処理部１４４Ａは、図４に示されるように、ＦＭ用復調部２２１と、ＦＭデータ信号用復号部２２２と、Ｖ−ＬＯＷ用復調部２２３と、Ｖ−ＬＯＷ用復号部２２４Ａとを備えている。
　【００６４】
　上記のＦＭ用復調部２２１は、ＦＭ用ＲＦ処理ユニット１３３から送られた信号ＩＦＤＦＤを取得する。そして、ＦＭ用復調部２２１は、ＦＭ用ＲＦ処理ユニット１３３により選局処理が施された当該信号ＩＦＤＦＤに対して復調処理を施して復調信号を生成する。こうして生成された復調信号は、ＦＭデータ信号用復号部２２２へ送られる。
　【００６５】
　上記のＦＭデータ信号用復号部２２２は、ＦＭ用復調部２２１から送られた復調信号を受ける。ＦＭデータ信号用復号部２２２は、当該復調信号を受けると、データ信号用の復号処理を施して、「道路交通情報」に関する画像データを生成する。こうして生成されたＦＭデータ放送が提供する「道路交通情報」を反映した画像データは、情報データ切替部１４５へ送られる。
　【００６６】
　上記のＶ−ＬＯＷ用復調部２２３は、Ｖ−ＬＯＷ用ＲＦ処理ユニット１３４から送られた信号ＩＦＤＶＤを取得する。そして、Ｖ−ＬＯＷ用復調部２２３は、Ｖ−ＬＯＷ用ＲＦ処理ユニット１３４により選局処理が施された当該信号ＩＦＤＶＤに対して復調処理を施して復調信号を生成する。こうして生成された復調信号は、Ｖ−ＬＯＷ用復号部２２４Ａへ送られる。
　【００６７】
　上記のＶ−ＬＯＷ用復号部２２４Ａは、Ｖ−ＬＯＷ用復調部２２３から送られた復調信号を受ける。Ｖ−ＬＯＷ用復号部２２４Ａは、当該復調信号を受けると、データ信号用の復号処理を施して、Ｖ−ＬＯＷデータ放送信号の内容に「道路交通情報」が含まれているか否かのチェックを行う。そして、Ｖ−ＬＯＷ用復号部２２４Ａは、当該チェックの結果を、状態報告ＳＴＶとして制御ユニット１９０Ａへ送る。
　【００６８】
　また、Ｖ−ＬＯＷ用復号部２２４Ａは、Ｖ−ＬＯＷデータ放送信号の内容に「道路交通情報」が含まれているときには、復号処理の結果に基づいて「道路交通情報」に関する画像データを生成する。こうして生成されたＶ−ＬＯＷデータ放送が提供する「道路交通情報」を反映した画像データは、情報データ切替部１４５へ送られる。
　【００６９】
　＜動作＞
　以上のようにして構成された放送受信装置１００Ａの動作について、制御ユニット１９０Ａによる利用者の「放送波設定指定」に対応した「ＵＨＦデジタルＴＶ放送」、「Ｖ−ＬＯＷデジタルＴＶ放送」及び「ＦＭ音声放送」の再生処理、並びに、ＦＭデータ放送及びＶ−ＬＯＷデータ放送が提供する「道路交通情報」の切り替え制御処理に主に着目して説明する。
　【００７０】
　《ＵＨＦデジタルＴＶ放送の再生処理》
　まず、「ＵＨＦデジタルＴＶ放送」の再生処理について説明する。
　【００７１】
　かかる再生処理は、利用者による「ＵＨＦデジタルＴＶ放送」を指定した放送波設定指定の入力ユニット１５０への入力に対応して開始される。こうして再生処理が開始されると、制御ユニット１９０Ａが、まず、ＵＨＦアンテナ１１１Ｕ４から送られる受信信号ＲＦＳＵ４をＴＶ用ＲＦ処理ユニット１３１４へ送ることを内容とする「ＵＨＦ選択」を指定する選択制御指令ＳＬＳ１を生成し、第１選択ユニット１２１へ送る（図１参照）。また、制御ユニット１９０Ａは、ＴＶ用ＲＦ処理ユニット１３１ｊ（ｊ＝１，…，３）から送られる信号ＩＦＤＵｊ、及び、ＴＶ用ＲＦ処理ユニット１３１４から送られる信号ＩＦＤＴを合成すべきことを指定する合成制御指令ＳＮＣを生成し、ＴＶ用再生処理部１４１の信号合成部２１１へ送る（図３参照）。
　【００７２】
　さらに、制御ユニット１９０Ａは、ＴＶ用再生処理部１４１から送られる音声データを音出力ユニット１６０へ送ることを内容とする「ＴＶ再生選択」を指定する切替制御指令ＳＷ１を生成し、音声データ切替部１４３へ送る（図２参照）。また、制御ユニット１９０Ａは、利用者により選局設定指定されたＵＨＦデジタル放送の希望局に対応する選局指令ＣＳＬＵを生成して、ＴＶ用ＲＦ処理ユニット１３１ｊ（ｊ＝１，…，３）へ送るとともに、当該デジタル放送の希望局に対応する選局指令ＣＳＬ１１を生成して、ＴＶ用ＲＦ処理ユニット１３１４へ送る（図１参照）。
　【００７３】
　こうした制御ユニット１９０Ａにより指令設定の状況のもとで、ＵＨＦアンテナ１１１Ｕｊ（ｊ＝１，…，３）で受信した受信信号ＲＦＳＵｊがＴＶ用ＲＦ処理ユニット１３１ｊへ送られるともに、ＵＨＦアンテナ１１１Ｕ４で受信した受信信号ＲＦＳＵ４がＴＶ用ＲＦ処理ユニット１３１４へ送られる。そして、ＴＶ用ＲＦ処理ユニット１３１ｊは、受信信号ＲＦＳＵｊを受けると、制御ユニット１９０Ａから送られた選局指令ＣＳＬＵに従って選局すべき希望局の中間周波数帯の信号ＩＦＤＵｊを抽出し、当該信号ＩＦＤＵｊを再生処理ユニット１４０ＡのＴＶ用再生処理部１４１へ送る。また、ＴＶ用ＲＦ処理ユニット１３１４は、受信信号ＲＦＳＵ４を受けると、選局指令ＣＳＬ１１に従って選局すべき希望局の中間周波数帯の信号ＩＦＤＴを抽出し、当該信号ＩＦＤＴを再生処理ユニット１４０ＡのＴＶ用再生処理部１４１へ送る（図１及び図２参照）。
　【００７４】
　ＴＶ用再生処理部１４１では、信号合成部２１１が、信号ＩＦＤＵ１，ＩＦＤＵ２，ＩＦＤＵ３，ＩＦＤＴの４つ信号の合成を行い、合成された信号をＴＶ用復調部２１２へ送る。そして、ＴＶ用復調部２１２が、信号合成部２１１から送られた信号の復調処理を行い、復調信号をＴＶ用復号部２１３へ送る。次いで、ＴＶ用復号部２１３が、復調信号の復号処理を行う。引き続き、ＴＶ用復号部２１３は、音声に関する復号結果を復号音声データとして音声処理部２１４へ送るとともに、映像に関する復号結果を復号映像データとして映像処理部２１５へ送る（図３参照）。
　【００７５】
　音声処理部２１４では、復号音声データに基づいて音声データが生成される。そして、音声処理部２１４は、当該音声データを音声データ切替部１４３へ送る。そして、音声データ切替部１４３は、当該音声データを音出力ユニット１６０へ送る（図２参照）。また、映像処理部２１５では、復号映像データに基づいて映像データが生成される。そして、映像処理部２１５は、当該映像データを第１表示ユニット１７０へ送る（図３参照）。
　【００７６】
　この結果、「ＵＨＦデジタルＴＶ放送」の選局設定指定された希望局の放送音声が、音出力ユニット１６０から再生出力されるとともに、当該希望局の放送映像が、第１表示ユニット１７０から再生表示される。
　【００７７】
　《Ｖ−ＬＯＷデジタルＴＶ放送の再生処理》
　次に、利用者の指定に対応した「Ｖ−ＬＯＷデジタルＴＶ放送」の再生処理について説明する。
　【００７８】
　かかる再生処理は、利用者による「Ｖ−ＬＯＷデジタルＴＶ放送」を指定した放送波設定指定の入力ユニット１５０への入力に対応して開始される。こうして再生処理が開始されると、制御ユニット１９０Ａが、まず、ＦＭアンテナ１１２Ｆから送られる受信信号ＲＦＳＦをＴＶ用ＲＦ処理ユニット１３１４へ送ることを内容とする「Ｖ−ＬＯＷ選択」を指定する選択制御指令ＳＬＳ１を生成し、第１選択ユニット１２１へ送る（図１参照）。また、制御ユニット１９０Ａは、ＴＶ用ＲＦ処理ユニット１３１４から送られる信号ＩＦＤＴのみを再生処理すべきことを指定する合成制御指令ＳＮＣを生成し、ＴＶ用再生処理部１４１の信号合成部２１１へ送る（図３参照）。
　【００７９】
　さらに、制御ユニット１９０Ａは、ＴＶ用再生処理部１４１から送られる音声データを音出力ユニット１６０へ送ることを内容とする「ＴＶ再生選択」を指定する切替制御指令ＳＷ１を生成し、音声データ切替部１４３へ送る（図２参照）。また、制御ユニット１９０Ａは、利用者により選局設定指定されたＶ−ＬＯＷデジタル放送の希望局に対応する選局指令ＣＳＬ１１を生成して、ＴＶ用ＲＦ処理ユニット１３１４へ送る（図１参照）。
　【００８０】
　こうした制御ユニット１９０Ａにより指令設定の状況のもとで、ＦＭアンテナ１１２Ｆで受信した受信信号ＲＦＳＦがＴＶ用ＲＦ処理ユニット１３１４へ送られる。そして、ＴＶ用ＲＦ処理ユニット１３１４は、受信信号ＲＦＳＦを受けると、制御ユニット１９０Ａから送られた選局指令ＣＳＬ１１に従って選局すべき希望局の中間周波数帯の信号ＩＦＤＴを抽出し、当該信号ＩＦＤＴを再生処理ユニット１４０ＡのＴＶ用再生処理部１４１へ送る（図１及び図２参照）。
　【００８１】
　ＴＶ用再生処理部１４１では、信号合成部２１１が、合成処理を行わずに、信号ＩＦＤＴをＴＶ用復調部２１２へ送る。そして、ＴＶ用復調部２１２が、信号合成部２１１から送られた信号の復調処理を行い、復調信号をＴＶ用復号部２１３へ送る。次いで、ＴＶ用復号部２１３が、復調信号の復号処理を行い、音声に関する復号結果を復号音声データとして音声処理部２１４へ送るとともに、映像に関する復号結果を復号映像データとして映像処理部２１５へ送る（図３参照）。
　【００８２】
　音声処理部２１４では、復号音声データに基づいて音声データが生成される。そして、音声処理部２１４は、当該音声データを音声データ切替部１４３へ送る。そして、音声データ切替部１４３は、当該音声データを音出力ユニット１６０へ送る（図２参照）。また、映像処理部２１５では、復号映像データに基づいて映像データが生成される。そして、映像処理部２１５は、当該映像データを第１表示ユニット１７０へ送る（図３参照）。
　【００８３】
　この結果、「Ｖ−ＬＯＷデジタルＴＶ放送」の選局設定指定された希望局の放送音声が、音出力ユニット１６０から再生出力されるとともに、当該希望局の放送映像が、第１表示ユニット１７０から再生表示される。
　【００８４】
　《ＦＭ音声放送の再生処理》
　次いで、利用者の指定に対応した「ＦＭ音声放送」の再生処理について説明する。
　【００８５】
　かかる再生処理は、利用者による「ＦＭ音声放送」を指定した放送波設定指定の入力ユニット１５０への入力に対応して開始される。こうして再生処理が開始されると、制御ユニット１９０Ａが、まず、ＦＭアンテナ１１２Ｆから送られる受信信号ＲＦＳＦをＦＭ用ＲＦ処理ユニット１３２へ送ることを内容とする「ＦＭ音声選択」を指定する選択制御指令ＳＬＳ１を生成し、第１選択ユニット１２１へ送る（図１参照）。
　【００８６】
　また、制御ユニット１９０Ａは、ＦＭ音声用再生処理部１４２から送られる音声データを音出力ユニット１６０へ送ることを内容とする「ＦＭ音声再生選択」を指定する切替制御指令ＳＷ１を生成し、音声データ切替部１４３へ送る（図２参照）。また、制御ユニット１９０Ａは、利用者により選局設定指定されたＦＭ放送の希望局に対応する選局指令ＣＳＬ１２を生成して、ＦＭ用ＲＦ処理ユニット１３２へ送る（図１参照）。
　【００８７】
　こうした制御ユニット１９０Ａにより指令設定の状況のもとで、ＦＭアンテナ１１２Ｆで受信した受信信号ＲＦＳＦがＦＭ用ＲＦ処理ユニット１３２へ送られる。そして、ＦＭ用ＲＦ処理ユニット１３２は、受信信号ＲＦＳＦを受けると、制御ユニット１９０Ａから送られた選局指令ＣＳＬ１２に従って選局すべき希望局の中間周波数帯の信号ＩＦＤＦＡを抽出し、当該信号ＩＦＤＦＡを再生処理ユニット１４０ＡのＦＭ音声用再生処理部１４２へ送る（図１及び図２参照）。
　【００８８】
　ＦＭ音声用再生処理部１４２では、ＦＭ用復調部が、信号ＩＦＤＦＡの復調処理を行い、復調結果の信号をＭＰＸ部へ送る。そして、ＭＰＸ部が、復調結果の信号に対して、セパレーション処理等の再生処理を施して、音声データを生成する。引き続き、ＭＰＸ部は、当該音声データを音声データ切替部１４３へ送る。そして、音声データ切替部１４３は、当該音声データを音出力ユニット１６０へ送る（図２参照）。
　【００８９】
　この結果、「ＦＭ放送」の選局設定指定された希望局の放送音声が、音出力ユニット１６０から再生出力される。
　【００９０】
　《「道路交通情報」の切り替え制御処理》
　引き続き、ＦＭデータ放送及びＶ−ＬＯＷデータ放送が提供する「道路交通情報」の切り替え制御処理について説明する。この切り替え制御処理は、上述した「ＵＨＦデジタルＴＶ放送の再生処理」、「Ｖ−ＬＯＷデジタルＴＶ放送の再生処理」及び「ＦＭ音声放送の再生処理」のいずれかと並行して、常時、行われるようになっている。
　【００９１】
　前提として、ＦＭデータ放送が提供する「道路交通情報」については、再生不可能なエリアは存在しないものとし、Ｖ−ＬＯＷデータ放送が提供する「道路交通情報」については、再生不可能なエリアが存在するものとする。
　【００９２】
　また、制御ユニット１９０Ａは、ＦＭデータ放送が提供する「道路交通情報」に関するデータ希望局に対応する選局指令ＣＳＬ２１を生成してＦＭ用ＲＦ処理ユニット１３３へ送っているものとする。また、制御ユニット１９０Ａは、Ｖ−ＬＯＷデータ放送が提供する「道路交通情報」に関するデータ希望局に対応する選局指令ＣＳＬ２２を生成してＶ−ＬＯＷ用ＲＦ処理ユニット１３４へ送っているものとする（図１参照）。
　【００９３】
　このような状況のもとで、図５に示されるように、まず、ステップＳ１１において、制御ユニット１９０Ａが、再生表示する「道路交通情報」のデータ放送信号として、ＦＭデータ放送信号を選択する。かかるＦＭデータ放送信号の選択に際して、制御ユニット１９０Ａは、ＦＭアンテナ１１２Ｆから送られる受信信号ＲＦＳＦをＦＭ用ＲＦ処理ユニット１３３へ送ることを内容とする「ＦＭデータ選択」を指定する選択制御指令ＳＬＳ２を生成し、第２選択ユニット１２２へ送る（図１参照）。また、制御ユニット１９０Ａは、かかるＦＭデータ放送信号の選択に際して、ＦＭデータ信号用復号部２２２から送られる画像データを第２表示ユニット１７５へ送ることを内容とする「ＦＭデータ再生選択」を指定する切替制御指令ＳＷ２を生成し、情報データ切替部１４５へ送る（図２及び図４参照）。
　【００９４】
　次に、ステップＳ１２において、制御ユニット１９０Ａが、ＦＭデータ放送が担う道路交通情報の取得が完了したか否かを判定する。この判定の結果が否定的であった場合（ステップＳ１２：Ｎ）には、ステップＳ１２の処理が繰り返される。一方、ステップＳ１２における判定の結果が肯定的（ステップＳ１２：Ｙ）になると、処理はステップＳ１３へ進む。
　【００９５】
　このステップＳ１２の処理が繰り返される状態では、ＦＭアンテナ１１２Ｆで受信した受信信号ＲＦＳＦがＦＭ用ＲＦ処理ユニット１３３へ送られる。そして、ＦＭ用ＲＦ処理ユニット１３３が、制御ユニット１９０Ａから送られた選局指令ＣＳＬ２１に従ってデータ希望局の中間周波数帯の信号ＩＦＤＦＤを抽出する。引き続き、ＦＭ用ＲＦ処理ユニット１３３は、当該信号ＩＦＤＦＤを再生処理ユニット１４０Ａの交通情報用再生処理部１４４Ａへ送る（図１及び図２参照）。
　【００９６】
　交通情報用再生処理部１４４Ａでは、ＦＭ用復調部２２１が、信号ＩＦＤＦＤの復調処理を行い、復調信号をＦＭデータ信号用復号部２２２へ送る。そして、ＦＭデータ信号用復号部２２２が、復調信号に対して、データ信号用の復号処理を施して、「道路交通情報」に関する画像データを生成する。引き続き、ＦＭデータ信号用復号部２２２は、当該画像データを情報データ切替部１４５へ送る。そして、情報データ切替部１４５は、ＦＭデータ信号用復号部２２２から送られた画像データを、第２表示ユニット１７５へ送る（図４参照）。
　【００９７】
　この結果、道路交通情報の取得が完了すると、ＦＭデータ放送が提供する「道路交通情報」を反映した画像が、第２表示ユニット１７５から再生表示される。
　【００９８】
　引き続き、ステップＳ１３において、制御ユニット１９０Ａが、再生表示する「道路交通情報」のデータ放送信号として、Ｖ−ＬＯＷデータ放送信号を選択する。このＶ−ＬＯＷデータ放送信号の選択に際して、制御ユニット１９０Ａは、ＦＭアンテナ１１２Ｆから送られる受信信号ＲＦＳＦをＶ−ＬＯＷ用ＲＦ処理ユニット１３４へ送ることを内容とする「Ｖ−ＬＯＷデータ選択」を指定する選択制御指令ＳＬＳ２を生成し、第２選択ユニット１２２へ送る（図１参照）。また、制御ユニット１９０Ａは、かかるＶ−ＬＯＷデータ放送信号の選択に際して、Ｖ−ＬＯＷ用復号部２２４Ａから送られる画像データを第２表示ユニット１７５へ送ることを内容とする「Ｖ−ＬＯＷデータ再生選択」を指定する切替制御指令ＳＷ２を生成し、情報データ切替部１４５へ送る（図２及び図４参照）。
　【００９９】
　こうして「道路交通情報」のデータ放送信号として、Ｖ−ＬＯＷデータ放送信号が選択されると、ＦＭアンテナ１１２Ｆで受信した受信信号ＲＦＳＦがＶ−ＬＯＷ用ＲＦ処理ユニット１３４へ送られる。そして、Ｖ−ＬＯＷ用ＲＦ処理ユニット１３４が、制御ユニット１９０Ａから送られた選局指令ＣＳＬ２２に従ってデータ希望局の中間周波数帯の信号ＩＦＤＶＤを抽出する。引き続き、Ｖ−ＬＯＷ用ＲＦ処理ユニット１３４は、当該信号ＩＦＤＶＤを再生処理ユニット１４０Ａの交通情報用再生処理部１４４Ａへ送る（図１及び図２参照）。
　【０１００】
　交通情報用再生処理部１４４Ａでは、Ｖ−ＬＯＷ用復調部２２３が、信号ＩＦＤＶＤの復調処理を行い、復調信号をＶ−ＬＯＷ用復号部２２４Ａへ送る。そして、Ｖ−ＬＯＷ用復号部２２４Ａが、復調信号に対して、データ信号用の復号処理を施して、Ｖ−ＬＯＷデータ放送信号の内容に「道路交通情報」が含まれているか否かのチェックを行い、状態報告ＳＴＶを生成する。引き続き、Ｖ−ＬＯＷ用復号部２２４Ａが、当該状態情報ＳＴＶを制御ユニット１９０Ａへ送る。
　【０１０１】
　次いで、ステップＳ１４において、制御ユニット１９０Ａが、Ｖ−ＬＯＷ用復号部２２４Ａから送られた状態報告ＳＴＶの内容から、Ｖ−ＬＯＷデータ放送信号の内容に「道路交通情報」が含まれているか否かを判定する。この判定の結果が判定の結果が否定的であった場合（ステップＳ１４：Ｎ）には、処理はステップＳ１１へ戻る。
　【０１０２】
　一方、ステップＳ１４における判定の結果が肯定的であった場合（ステップＳ１４：Ｙ）には、Ｖ−ＬＯＷ用復号部２２４Ａが生成した「道路交通情報」に関する画像データが、情報データ切替部１４５へ送られる。そして、情報データ切替部１４５は、Ｖ−ＬＯＷ用復号部２２４Ａから送られた画像データを、第２表示ユニット１７５へ送る（図２参照）。
　【０１０３】
　この結果、Ｖ−ＬＯＷデータ放送が提供する「道路交通情報」を反映した画像が、第２表示ユニット１７５から再生表示される。こうしてＶ−ＬＯＷデータ放送が提供する「道路交通情報」を反映した画像が再生表示されると、ステップＳ１４における判定の結果が否定的となるまで、ステップＳ１４の処理が繰り返される。
　【０１０４】
　以後、上記のステップＳ１１〜Ｓ１４の処理が繰り返されて、第１実施形態における「道路交通情報」の切り替え制御処理が行われる。
　【０１０５】
　以上説明したように、第１実施形態では、利用者が「ＵＨＦデジタルＴＶ放送」を指定すると、制御ユニット１９０Ａが、ＵＨＦアンテナ１１１Ｕ４から送られる受信信号ＲＦＳＵ４をＴＶ用ＲＦ処理ユニット１３１４へ送ることを内容とする選択制御指令ＳＬＳ１を生成し、第１選択ユニット１２１へ送る。また、「ＵＨＦデジタルＴＶ放送」の指定に際して、制御ユニット１９０Ａは、ＴＶ用ＲＦ処理ユニット１３１ｊ（ｊ＝１，…，３）から送られる信号ＩＦＤＵｊ、及び、ＴＶ用ＲＦ処理ユニット１３１４から送られる信号ＩＦＤＴを合成すべきことを指定する合成制御指令ＳＮＣを生成し、ＴＶ用再生処理部１４１の信号合成部２１１へ送る。さらに、制御ユニット１９０Ａは、「ＵＨＦデジタルＴＶ放送」の指定に際して、ＴＶ用再生処理部１４１から送られる音声データを音出力ユニット１６０へ送ることを内容とする切替制御指令ＳＷ１を生成し、音声データ切替部１４３へ送る。この結果、「ＵＨＦデジタルＴＶ放送」の選局設定指定された希望局の放送音声が、音出力ユニット１６０から再生出力されるとともに、当該希望局の放送映像が、第１表示ユニット１７０から再生表示される。
　【０１０６】
　また、第１実施形態では、利用者が「Ｖ−ＬＯＷデジタルＴＶ放送」を指定すると、制御ユニット１９０Ａが、ＦＭアンテナ１１２Ｆから送られる受信信号ＲＦＳＦをＴＶ用ＲＦ処理ユニット１３１４へ送ることを内容とする選択制御指令ＳＬＳ１を生成し、第１選択ユニット１２１へ送る。また、「Ｖ−ＬＯＷデジタルＴＶ放送」の指定に際して、制御ユニット１９０Ａは、ＴＶ用ＲＦ処理ユニット１３１４から送られる信号ＩＦＤＴのみを再生処理すべきことを指定する合成制御指令ＳＮＣを生成し、ＴＶ用再生処理部１４１の信号合成部２１１へ送る。さらに、制御ユニット１９０Ａは、「Ｖ−ＬＯＷデジタルＴＶ放送」の指定に際して、ＴＶ用再生処理部１４１から送られる音声データを音出力ユニット１６０へ送ることを内容とする切替制御指令ＳＷ１を生成し、音声データ切替部１４３へ送る。この結果、「Ｖ−ＬＯＷデジタルＴＶ放送」の選局設定指定された希望局の放送音声が、音出力ユニット１６０から再生出力されるとともに、当該希望局の放送映像が、第１表示ユニット１７０から再生表示される。
　【０１０７】
　さらに、第１実施形態では、利用者が「ＦＭ音声放送」を指定すると、制御ユニット１９０Ａが、ＦＭアンテナ１１２Ｆから送られる受信信号ＲＦＳＦをＦＭ用ＲＦ処理ユニット１３２へ送ることを内容とする選択制御指令ＳＬＳ１を生成し、第１選択ユニット１２１へ送る。また、「ＦＭ音声放送」の指定に際して、制御ユニット１９０Ａは、ＦＭ音声用再生処理部１４２から送られる音声データを音出力ユニット１６０へ送ることを内容とする切替制御指令ＳＷ１を生成し、音声データ切替部１４３へ送る。この結果、「ＦＭ音声放送」の選局設定指定された希望局の放送音声が、音出力ユニット１６０から再生出力される。
　【０１０８】
　このように第１実施形態では、「ＵＨＦデジタルＴＶ放送」の指定時には、ＵＨＦアンテナを利用してＵＨＦ帯域のデジタル放送を受信処理し、「Ｖ−ＬＯＷデジタルＴＶ放送」又は「ＦＭ音声放送」の指定時には、自動車等の車両に搭載されたＦＭ受信装置のＦＭアンテナを利用して、ＶＨＦ帯域のデジタル放送波又はＦＭ放送波を受信処理する。このため、車両に装備されるＦＭアンテナ及びチューナを利用することにより、装置の規模が大きくなることを抑えるとともに、装置の製造コストが高価になることを抑えることができる。
　【０１０９】
　また、第１実施形態では、第１選択ユニット１２１を設けて、ＦＭアンテナから送られる受信信号ＲＦＳＦを、ＴＶ用ＲＦ処理ユニット１３１４及びＦＭ用ＲＦ処理ユニット１３２に分配しないようにしている。このため、「Ｖ−ＬＯＷデジタルＴＶ放送」又は「ＦＭ音声放送」の設定時に、受信信号ＲＦＳＦの受信感度を維持することができる。
　【０１１０】
　また、第１実施形態では、ＦＭアンテナ１１２Ｆが受信した受信信号ＲＦＳＦに基づいて、ＦＭデータ放送が提供する「道路交通情報」及びＶ−ＬＯＷデータ放送が提供する「道路交通情報」のいずれか一方を選択して再生表示する。かかる再生表示の選択に際して、制御ユニット１９０Ａは、Ｖ−ＬＯＷデータ放送信号の内容に「道路交通情報」が含まれている場合には、Ｖ−ＬＯＷデータ放送が提供する「道路交通情報」を選択する。
　【０１１１】
　このため、自動車等の車両に搭載されたＦＭ受信装置のＦＭアンテナを利用して、情報量の多いＶ−ＬＯＷデータ放送が提供する道路交通情報を優先して再生表示することができる。
　【０１１２】
　したがって、第１実施形態によれば、簡易な構成で、ＵＨＦ帯域及びＶＨＦ帯域の放送波を受信し、適切な受信処理を行うことができる。
　【０１１３】
　［第２実施形態］
　次に、本発明の第２実施形態を、図６〜図８を主に参照して説明する。
　【０１１４】
　＜構成＞
　図６には、第２実施形態に係る放送受信装置１００Ｂの概略的な構成がブロック図にて示されている。図６に示されるように、放送受信装置１００Ｂは、上述した第１実施形態に係る放送受信装置１００Ａと比べて、再生処理ユニット１４０Ａに代えて再生処理ユニット１４０Ｂを備える点、記憶ユニット１８０を更に備える点、及び、制御ユニット１９０Ａに代えて制御ユニット１９０Ｂを備える点が異なっている。以下、こうした相違点に主に着目して説明する。
　【０１１５】
　ここで、記憶ユニット１８０及び制御ユニット１９０Ｂの説明に先立って、再生処理ユニット１４０Ｂの構成の詳細について説明する。上記の再生処理ユニット１４０Ｂは、図７に示されるように、上述した再生処理ユニット１４０Ａと比べて、Ｖ−ＬＯＷ用復号部２２４Ａに代えてＶ−ＬＯＷ用復号部２２４Ｂを備える点が異なっている。
　【０１１６】
　上記のＶ−ＬＯＷ用復号部２２４Ｂは、Ｖ−ＬＯＷ用復調部２２３から送られた復調信号を受ける。Ｖ−ＬＯＷ用復号部２２４Ｂは、当該復調信号を受けると、データ信号用の復号処理を施して、Ｖ−ＬＯＷデータ放送信号の内容に「道路交通情報」が含まれているか否かのチェックを行う。そして、Ｖ−ＬＯＷ用復号部２２４Ｂは、Ｖ−ＬＯＷデータ放送信号の内容に「道路交通情報」が含まれているときに、復号処理の結果に基づいて「道路交通情報」に関する画像データを生成する。すなわち、Ｖ−ＬＯＷ用復号部２２４Ｂは、上述したＶ−ＬＯＷ用復号部２２４Ａと比べて、Ｖ−ＬＯＷデータ放送信号の内容に「道路交通情報」が含まれているか否かのチェックの結果を、制御ユニット１９０Ｂへ送らない点が異なっている。
　【０１１７】
　図６に戻り、上記の記憶ユニット１８０は、ハードディスク装置等の不揮発性の記憶装置を備えて構成され、放送受信装置１００Ｂにおいて利用されるエリア情報が記憶される。記憶ユニット１８０には、制御ユニット１９０Ｂがアクセスできるようになっている。このエリア情報には、Ｖ−ＬＯＷ帯域における「道路交通情報」を内容とするデータ放送が再生可能なエリアの情報が含まれている。すなわち、記憶ユニット１８０は、記憶部としての機能を果たすようになっている。
　【０１１８】
　上記の制御ユニット１９０Ｂは、放送受信装置１００Ｂの全体の動作を制御する。この制御ユニット１９０Ｂには、車両に搭載された位置検出センサ２１０と接続されている。この位置検出センサ２１０は、位置検出部としての機能を果たし、車両の現在位置を検出する。こうして検出された車両の現在位置情報は、制御ユニット１９０Ｂへ送られる。
　【０１１９】
　制御ユニット１９０Ｂは、位置検出センサ２１０から送られた車両の現在位置情報を取得する。そして、制御ユニット１９０Ｂは、当該車両の現在位置情報及び記憶ユニット１８０内のエリア情報に基づいて、現在位置が、Ｖ−ＬＯＷ帯域における「道路交通情報」を内容とするデータ放送が再生可能なエリアに含まれているか否かを判定する。
　【０１２０】
　引き続き、制御ユニット１９０Ｂは、当該判定の結果が否定的であった場合には、「ＦＭデータ選択」を指定した選択制御指令ＳＬＳ２を生成して、第２選択ユニット１２２へ送るとともに、「ＦＭデータ放送信号に基づく道路交通情報」を表示すべきことを指定した切替制御指令ＳＷ２を生成して、再生処理ユニット１４０Ｂへ送る。また、制御ユニット１９０Ｂは、当該判定の結果が肯定的であった場合には、「Ｖ−ＬＯＷデータ選択」を指定した選択制御指令ＳＬＳ２を生成して、第２選択ユニット１２２へ送るとともに、「Ｖ−ＬＯＷデータ放送信号に基づく道路交通情報」を表示すべきことを指定した切替制御指令ＳＷ２を生成して、再生処理ユニット１４０Ｂへ送る。
　【０１２１】
　また、制御ユニット１９０Ｂは、入力ユニット１５０から送られた入力データを受ける。そして、制御ユニット１９０Ｂは、入力データの内容が「ＵＨＦデジタルＴＶ放送」、「Ｖ−ＬＯＷデジタルＴＶ放送」又は「ＦＭ音声放送」を指定した放送波設定指定であった場合には、上述した制御ユニット１９０Ａと同様の選択制御指令ＳＬＳ１を生成して、第１選択ユニット１２１へ送るとともに、上述した制御ユニット１９０Ａと同様の合成制御指令ＳＮＣ及び切替制御指令ＳＷ１を生成して、再生処理ユニット１４０Ｂへ送る。
　【０１２２】
　また、制御ユニット１９０Ｂは、入力ユニット１５０から送られた入力データの内容が選局設定指定であった場合には、上述した制御ユニット１９０Ａと同様に、指定された希望局に対応する選局指令ＣＳＬを生成して、選局処理を行うべきＲＦ処理ユニットへ送る。
　【０１２３】
　すなわち、制御ユニット１９０Ｂは、制御部としての機能を果たすようになっている。制御ユニット１９０Ｂが実行する制御処理の詳細については、後述する。
　【０１２４】
　＜動作＞
　以上のようにして構成された放送受信装置１００Ｂの動作について、ＦＭデータ放送及びＶ−ＬＯＷデータ放送が提供する「道路交通情報」の切り替え制御処理に主に着目して説明する。
　【０１２５】
　なお、利用者の「放送波設定指定」に対応した「ＵＨＦデジタルＴＶ放送」、「Ｖ−ＬＯＷデジタルＴＶ放送」及び「ＦＭ音声放送」の再生処理は、上述した第１実施形態に係る放送受信装置１００Ａの動作と同様である。
　【０１２６】
　《「道路交通情報」の切り替え制御処理》
　ＦＭデータ放送及びＶ−ＬＯＷデータ放送が提供する「道路交通情報」の切り替え制御処理について説明する。
　【０１２７】
　前提として、制御ユニット１９０Ｂは、位置検出センサ２１０から送られる車両の現在位置情報を、定期的に取得するものとする。また、当初においては、放送受信装置１００Ｂでは、制御ユニット１９０Ｂは、再生表示する「道路交通情報」のデータ放送信号として、ＦＭデータ放送信号及びＶ−ＬＯＷデータ放送信号のいずれか一方を選択しているものとする。
　【０１２８】
　このような状況のもとで、図８に示されるように、まず、ステップＳ２１において、制御ユニット１９０Ｂが、車両の現在位置情報及び記憶ユニット１８０内のエリア情報に基づいて、現在位置が、Ｖ−ＬＯＷ帯域における「道路交通情報」を内容とするデータ放送が再生可能なエリアに含まれているか否かを判定する。この判定の結果が肯定的であった場合（ステップＳ２１：Ｙ）には、処理はステップＳ２２へ進む。
　【０１２９】
　ステップＳ２２では、制御ユニット１９０Ｂが、現時点のデータ放送信号の選択が「Ｖ−ＬＯＷデータ放送信号」であるか否かを判定する。この判定の結果が否定的であった場合（ステップＳ２２：Ｎ）には、処理はステップＳ２３へ進む。このステップＳ２３では、制御ユニット１９０Ｂが、再生表示する「道路交通情報」のデータ放送信号として、Ｖ−ＬＯＷデータ放送信号を選択する。
　【０１３０】
　こうしてＶ−ＬＯＷデータ放送信号が選択された状態では、Ｖ−ＬＯＷデータ放送が提供する「道路交通情報」を反映した画像が、第２表示ユニット１７５から再生表示される。この後、処理はステップＳ２１へ戻る。また、ステップＳ２２における判定の結果が肯定的であった場合（ステップＳ２２：Ｙ）にも、処理はステップＳ２１へ戻る。
　【０１３１】
　一方、上述したステップＳ２１における判定の結果が否定的であった場合（ステップＳ２１：Ｎ）には、処理はステップＳ２４へ進む。このステップＳ２４では、制御ユニット１９０Ｂが、現時点のデータ放送信号の選択が「ＦＭデータ放送信号」であるか否かを判定する。この判定の結果が否定的であった場合（ステップＳ２４）には、処理はステップＳ２５へ進む。このステップＳ２５では、制御ユニット１９０Ｂが、再生表示する「道路交通情報」のデータ放送信号として、ＦＭデータ放送信号を選択する。
　【０１３２】
　こうしてＦＭデータ放送信号が選択された状態では、ＦＭデータ放送が提供する「道路交通情報」を反映した画像が、第２表示ユニット１７５から再生表示される。この後、処理はステップＳ２１へ戻る。また、ステップＳ２４における判定の結果が肯定的であった場合（ステップＳ２４：Ｙ）にも、処理はステップＳ２１へ戻る。
　【０１３３】
　以後、上記のステップＳ２１〜Ｓ２５の処理が繰り返されて、第２実施形態における「道路交通情報」の切り替え制御処理が行われる。
　【０１３４】
　以上説明したように、第２実施形態では、上述した第１実施形態の場合と同様にして、「ＵＨＦデジタルＴＶ放送」の指定時には、ＵＨＦアンテナを利用してＵＨＦ帯域のデジタル放送を受信処理し、「Ｖ−ＬＯＷデジタルＴＶ放送」又は「ＦＭ音声放送」の指定時には、自動車等の車両に搭載されたＦＭ受信装置のＦＭアンテナを利用して、ＶＨＦ帯域のデジタル放送波又はＦＭ放送波を受信処理する。このため、車両に装備されるＦＭアンテナ及びチューナを利用することにより、装置の規模が大きくなることを抑えるとともに、装置の製造コストが高価になることを抑えることができる。
　【０１３５】
　また、第２実施形態では、上述した第１実施形態の場合と同様に、第１選択ユニット１２１を設けて、ＦＭアンテナから送られる受信信号ＲＦＳＦを、ＴＶ用ＲＦ処理ユニット１３１４及びＦＭ用ＲＦ処理ユニット１３２に分配しないようにしている。このため、「Ｖ−ＬＯＷデジタルＴＶ放送」又は「ＦＭ音声放送」の設定時に、受信信号ＲＦＳＦの受信感度を維持することができる。
　【０１３６】
　また、第２実施形態では、ＦＭアンテナ１１２Ｆが受信した受信信号ＲＦＳＦに基づいて、ＦＭデータ放送が提供する「道路交通情報」及びＶ−ＬＯＷデータ放送が提供する「道路交通情報」のいずれか一方を選択して再生表示する。かかる再生表示の選択に際して、制御ユニット１９０Ｂは、現在位置が、Ｖ−ＬＯＷ帯域における「道路交通情報」を内容とするデータ放送が再生可能なエリアに含まれている場合には、Ｖ−ＬＯＷデータ放送が提供する「道路交通情報」を選択する。
　【０１３７】
　このため、第１実施形態と同様に、自動車等の車両に搭載されたＦＭ受信装置のＦＭアンテナを利用して、情報量の多いＶ−ＬＯＷデータ放送が提供する道路交通情報を優先して再生表示することができる。
　【０１３８】
　したがって、第２実施形態によれば、上述した第１実施形態と同様に、簡易な構成で、ＵＨＦ帯域及びＶＨＦ帯域の放送波を受信し、適切な受信処理を行うことができる。
　【０１３９】
　［実施形態の変形］
　本発明は、上記の実施形態に限定されるものではなく、様々な変形が可能である。
　【０１４０】
　例えば、上記の第１及び第２実施形態では、「ＵＨＦデジタルＴＶ放送」の再生処理に際しては、４チューナ構成を採用したが、２チューナ構成を採用するようにしてもよい。この場合には、２個のＵＨＦアンテナ１１１Ｕ２，１１１Ｕ３、及び、２個のＴＶ用ＲＦ処理ユニット１３１２，１３１３，を、放送受信装置の構成要素から省略することができる。
　【０１４１】
　また、「ＵＨＦデジタルＴＶ放送」の再生処理に際してのチューナ構成として、１チューナ構成を採用するようにしてもよい。この場合には、３個のＵＨＦアンテナ１１１Ｕ１，１１１Ｕ２，１１１Ｕ３、及び、３個のＴＶ用ＲＦ処理ユニット１３１１，１３１２，１３１３，を、放送受信装置の構成要素から省略することができる。
　【０１４２】
　また、上記の第１及び第２実施形態では、ＦＭデータ放送又はＶ−ＬＯＷデータ放送が提供する「道路交通情報」を再生表示することとしたが、当該「道路交通情報」の再生表示機能を省略するようにしてもよい。この場合には、第２選択ユニット１２２、ＦＭ用ＲＦ処理ユニット１３３、Ｖ−ＬＯＷ用ＲＦ処理ユニット１３４、交通情報用再生処理部、情報データ切替部及び第２表示ユニットを、放送受信装置の構成要素から省略することができる。こうした変形の構成を採用した場合には、第１実施形態に係る放送受信装置の構成と、第２実施形態に係る放送受信装置の構成とが同一となる。
　【０１４３】
　また、上記の第１及び第２実施形態では、「道路交通情報」を担ったデータ放送信号を受信して処理することとしたが、受信処理するデータ放送信号としては、「道路交通情報」以外の情報であってもよい。
　【０１４４】
　また、上記の第１及び第２実施形態においては、車両に搭載される放送受信装置に本発明を適用したが、車両以外の他の移動体に配置される放送受信装置にも本発明を適用することもできるし、スマートフォン等の携帯端末装置に配置される放送受信装置にも本発明を適用することができる。
　【０１４５】
　なお、上記の制御ユニットの一部又は全部を中央処理装置（ＣＰＵ：Ｃｅｎｔｒａｌ　Ｐｒｏｃｅｓｓｉｎｇ　Ｕｎｉｔ）等を備えた演算手段としてのコンピュータとして構成し、予め用意されたプログラムを当該コンピュータで実行することにより、上記の実施形態における制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
　【符号の説明】
　【０１４６】
　１００Ａ，１００Ｂ　…　放送受信装置
　１３１４　　　　　　…　ＴＶ用ＲＦ処理ユニット（第１選局処理部）
　１３２　　　　　　　…　ＦＭ用ＲＦ処理ユニット（第２選局処理部）
　１３３　　　　　　　…　ＦＭ用ＲＦ処理ユニット（第３選局処理部）
　１３４　　　　　　　…　Ｖ−ＬＯＷ用ＲＦ処理ユニット（第４選局処理部）
　１８０　　　　　　　…　記憶ユニット（記憶部）
　１９０Ａ，１９０Ｂ　…　制御ユニット（制御部）
（５７）【特許請求の範囲】
　【請求項１】
（削除）
　【請求項２】
　
第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置であって、
　
デジタルテレビジョン放送の再生のための選局処理を行う第１選局処理部と；
　
ＦＭ音声放送の再生のための選局処理を行う
と；
　
ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを、第１制御として行う制御部と；
　
を備える
放送受信装置。
　【請求項３】
　前記第２受信信号に含まれるＦＭ放送帯域における特定目的のデータ放送の再生処理のための選局処理を行う第３選局処理部と；
　前記第２受信信号に含まれるＶ−ＬＯＷ帯域における前記特定目的のデータ放送の再生処理のための選局処理を行う第４選局処理部と；を更に備え、
　前記制御部は、前記第１制御と並行して、前記第３選局処理部及び前記第４選局処理部のいずれかに択一的に前記第２受信信号を供給させる第２制御を行う、
　ことを特徴とする請求項２に記載の放送受信装置。
　【請求項４】
　移動体に配置され、
　前記Ｖ−ＬＯＷ帯域における前記特定目的のデータ放送が再生可能なエリア情報を記憶する記憶部を更に備え、
　前記制御部は、前記エリア情報、及び、前記移動体の現在位置を検出する位置検出部から取得した前記移動体の現在位置情報に基づいて、前記第２制御を行う、
　ことを特徴とする請求項３に記載の放送受信装置。
　【請求項５】
　前記制御部は、前記Ｖ−ＬＯＷ帯域における前記特定目的のデータ放送を再生可能か否かの判定を行い、前記判定の結果に基づいて、前記第２制御を行う、ことを特徴とする請求項３又は４に記載の放送受信装置。
　【請求項６】
　前記特定目的のデータ放送は、道路交通情報を内容とする放送である、ことを特徴とする請求項３〜５のいずれか一項に記載の放送受信装置。
　【請求項７】
　前記制御部は、前記第１制御に際して、
　前記第１選局処理部により選局処理すべき受信信号として前記第２受信信号が利用者により指定された場合には、前記第１選局処理部のみに対して前記第２受信信号を供給させ、
　前記第１選局処理部により選局処理すべき受信信号として前記第１受信信号が利用者により指定された場合には、前記第１選局処理部に対して前記第１受信信号を供給させるとともに、前記第２選局処理部に対して前記第２受信信号を供給させる、
　ことを特徴とする請求項２〜６のいずれか一項に記載の放送受信装置。
　【請求項８】
（削除）
　【請求項９】
　
デジタルテレビジョン放送の再生のための選局処理を行う
ＦＭ音声放送の再生のための選局処理を行う第２選局処理部と；
え、第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う
　前記制御部が、選局処理すべき受信信号の指定を取得する取得工程と；
　前記取得工程における取得結果に基づいて、前記制御部が、
ＵＨＦデジタルテレビジョン放送の選局処理が指定された場合には、前記第１選局処理部に前記第１受信信号を供給させる制御、Ｖ−ＬＯＷデジタルテレビジョン放送の選局処理が指定された場合には、前記第１選局処理部に前記第２受信信号を供給させる制御、及び、ＦＭ音声放送の選局処理が指定された場合には、前記第２選局処理部に前記第２受信信号を供給させる制御のいずれかを
　を備えることを特徴とする放送受信方法。
　【請求項１０】
　第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置が有するコンピュータに、請求項９に記載の放送受信方法を実行させる、ことを特徴とする放送受信プログラム。
　【請求項１１】
　第１アンテナから供給されるＵＨＦ帯域の放送波の第１受信信号、並びに、第２アンテナから供給されるＶＨＦ帯域及びＦＭ放送帯域の放送波の第２受信信号に基づく再生処理を行う放送受信装置が有するコンピュータにより読み取り可能に、請求項１０に記載の放送受信プログラムが記録されている、ことを特徴とする記録媒体。